(57)【要約】  カメラ本体(１００)は、ボディマウント(１５０)と、ＣＭＯＳイメージセンサー(１１０)と、シャッターユニット(１９０)と、シャッター制御部(１４５)と、を備えている。ボディマウント(１５０)はレンズユニット(２００)を装着可能である。ＣＭＯＳイメージセンサー(１１０)は被写体の光学像を電気信号に変換する。シャッターユニット(１９０)は、ボディマウント(１５０)とＣＭＯＳイメージセンサー(１１０)との間に配置されており、レンズユニット(２００)とＣＭＯＳイメージセンサー(１１０)との間の光路を遮断可能に設けられている。シャッター制御部(１４５)は、電力の供給が停止している状態でシャッターユニット(１９０)が開口状態を保持するように、シャッターユニット(１９０)を制御する。【選択図】図３
2010029689.tif 000002
【特許請求の範囲】
【請求項１】
被写体の光学像を形成するレンズユニットを装着可能なカメラ本体であって、
前記レンズユニットを装着可能なボディマウントと、
前記被写体の光学像を電気信号に変換する撮像素子と、
前記ボディマウントと前記撮像素子との間に配置され前記レンズユニットと前記撮像素子との間の光路を遮断可能に設けられたシャッターユニットと、
電力の供給が停止している状態で前記シャッターユニットが開口状態を保持するように、電力の供給が停止する前に、前記シャッターユニットを制御するシャッター制御部と、
を備えるカメラ本体。
【請求項２】
前記シャッターユニットは、機械的に前記開口状態を保持可能である、
請求項１に記載のカメラ本体。
【請求項３】
前記シャッターユニットは、前記開口状態および閉口状態をとり得るシャッター機構と、前記シャッター機構を駆動するシャッター駆動部と、を有しており、
前記シャッター駆動部は、機械的に前記開口状態が保持される第１状態と、前記閉口状態が保持される第２状態と、に前記シャッター機構を駆動可能となっている、
請求項２に記載のカメラ本体。
【請求項４】
前記シャッター制御部は、所定の条件で前記シャッター機構を駆動するように前記シャッター駆動部を制御する、
請求項３に記載のカメラ本体。
【請求項５】
前記レンズユニットが装着されているか否かを検知するレンズ検知部をさらに備え、
前記シャッター制御部は、前記レンズユニットが前記ボディマウントから取り外されている場合に前記シャッター機構を前記第１状態に駆動するように前記シャッター駆動部を制御する、
請求項４に記載のカメラ本体。
【請求項６】
前記電気信号を記録する記録部と、
前記電気信号を画像として表示する表示部と、をさらに備え、
前記シャッター制御部は、前記記録部に記録された前記電気信号が前記画像として前記表示部に表示される再生モードで前記シャッター機構を前記第１状態に駆動するように前記シャッター駆動部を制御する、
請求項４または５に記載のカメラ本体。
【請求項７】
電源の切り替えを操作するための電源操作部をさらに備え、
前記シャッター制御部は、前記電源操作部がＯＦＦに操作された場合に前記シャッター機構を前記第１状態に駆動するように前記シャッター駆動部を制御する、
請求項４から６のいずれかに記載のカメラ本体。
【請求項８】
前記レンズユニットが装着されているか否かを検知するレンズ検知部をさらに備え、
前記シャッター制御部は、前記レンズユニットが前記ボディマウントから取り外されている場合に前記シャッターユニットが開口状態を保持するように前記シャッターユニットを制御する、
請求項１から３のいずれかに記載のカメラ本体。
【請求項９】
前記電気信号を記録する記録部と、
前記電気信号を画像として表示する表示部と、をさらに備え、
前記シャッター制御部は、前記記録部に記録された前記電気信号が前記画像として前記表示部に表示される再生モードで前記シャッターユニットが開口状態を保持するように前記シャッターユニットを制御する、
請求項１から３のいずれかに記載のカメラ本体。
【請求項１０】
電源の切り替えを操作するための電源操作部をさらに備え、
前記シャッター制御部は、前記電源操作部がＯＦＦに操作された場合に前記シャッターユニットが開口状態を保持するように前記シャッターユニットを制御する、
請求項１から３のいずれかに記載のカメラ本体。
【請求項１１】
前記ボディマウントは、第１開口を有し、前記レンズユニットを嵌め込み可能な環状のボディマウントリングと、前記ボディマウントリングと前記シャッターユニットとの間に配置され、前記第１開口よりも内径の小さい第２開口を有する保護部材と、を有している、
請求項１から１０のいずれかに記載のカメラ本体。
【請求項１２】
前記レンズユニットから前記撮像素子までの光路上に配置され前記レンズユニットを通過する光が透過する保護シートをさらに備えた、
請求項１から１１のいずれかに記載のカメラ本体。
【請求項１３】
前記保護シートは、前記レンズユニットが取り外されている状態で外部に露出する露出領域を有しており、
前記露出領域の表面には、防曇層が設けられている、
請求項１２に記載のカメラ本体。
【請求項１４】
前記防曇層は、光触媒である、
請求項１３に記載のカメラ本体。
【請求項１５】
前記光触媒は、可視光を透過する、
請求項１４に記載のカメラ本体。
【請求項１６】
前記レンズユニットから前記撮像素子までの光路上に配置され前記レンズユニットを通過する光が透過する保護シートをさらに備え、
前記ボディマウントは、第１開口を有し前記レンズユニットを嵌め込み可能な環状のボディマウントリングと、前記ボディマウントリングと前記シャッターユニットとの間に配置され前記第１開口よりも内径の小さい第２開口を有する保護部材と、を有しており、
前記保護シートは、前記保護部材よりも前記撮像素子側に配置されており、前記レンズユニットが取り外されている状態で前記第２開口から外部に露出する露出領域を有している、
請求項１から１０のいずれかに記載のカメラ本体。
【請求項１７】
前記露出領域は、前記レンズユニットを通過する光が透過する透過領域と、前記透過領域の周辺部に形成され前記レンズユニットを通過する光が透過しない外側領域と、を有している、
請求項１３から１６のいずれかに記載のカメラ本体。
【請求項１８】
前記外側領域の外形寸法は、前記透過領域の外形寸法よりも１ｍｍ以上大きい、
請求項１７に記載のカメラ本体。
【請求項１９】
被写体の光学像を形成するレンズユニットと、
前記レンズユニットを装着可能な請求項１から１８のいずれかに記載のカメラ本体と、
を備えた撮像装置。
【発明の詳細な説明】
【技術分野】
【０００１】
技術分野は、レンズユニットを装着可能なカメラ本体およびそれを備えた撮像装置に関する。
【背景技術】
【０００２】
撮像装置として、例えば交換レンズ式のデジタルカメラが知られている（例えば、特許文献１を参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置はレンズユニットを通った光をＣＣＤイメージセンサーまたはプリズムのいずれかに導く。プリズムに導かれた光はプリズムによってファインダに導かれる。
【先行技術文献】
【特許文献】
【０００３】
【特許文献１】特開２００７−１２７８３６号公報
【発明の概要】
【０００４】
しかし、従来の交換レンズ式のデジタルカメラでは、ミラーボックス装置を備えているため、カメラ本体の小型化が困難である。
そこで、本願の発明者らは、ミラーボックス装置を有しない新しい交換レンズ式のデジタルカメラを開発している。ミラーボックス装置を省略することでカメラ本体の小型化が可能となる。
しかし、ミラーボックス装置をカメラ本体に搭載しない場合に、新たな問題が生じることを発明者らは見出した。具体的には、レンズユニットを装着する際にボディマウント内にレンズユニットが傾いた状態で進入するおそれがあるが、カメラ本体にミラーボックス装置が搭載されていない場合、ボディマウントの近くに配置されたシャッターユニット等の部品が破損するおそれがある。
【０００５】
ここに開示された技術は、信頼性の高い小型のカメラ本体および撮像装置を提供することができる。
ここに開示されたカメラ本体は被写体の光学像を形成するレンズユニットを装着可能である。このカメラ本体は、ボディマウントと、撮像素子と、シャッターユニットと、シャッター制御部と、を備えている。ボディマウントはレンズユニットを装着可能である。撮像素子は被写体の光学像を電気信号に変換する。シャッターユニットは、ボディマウントと撮像素子との間に配置されており、レンズユニットと撮像素子との間の光路を遮断可能に設けられている。シャッター制御部は、電力の供給が停止している状態でシャッターユニットが開口状態を保持するように、電力の供給が停止する前に、シャッターユニットを制御する。
【０００６】
このカメラ本体では、電力の供給が停止している状態でシャッターユニットが開口状態を保持するように、シャッター制御部によりシャッターユニットが制御されるため、電力の供給が停止された状態でシャッターユニット１９０の開口状態が保持され、シャッターユニット１９０の破損を防止することができる。これにより、ミラーボックス装置が搭載されていない場合でも、シャッターユニットの破損を防止することができ、信頼性を保ちつつ小型化が可能となる。また、このカメラ本体とレンズユニットとを備えた撮像装置も、同様の効果が得られる。
ここで、カメラ本体および撮像装置としては、静止画のみ撮影可能な装置、動画のみ撮影可能な装置、および静止画および動画を撮影可能な装置が考えられる。
【図面の簡単な説明】
【０００７】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６Ａ】シャッターユニット１９０の閉口状態の模式図
【図６Ｂ】シャッターユニット１９０の開口状態の模式図
【図６Ｃ】シャッターユニット１９０の走行準備状態の模式図
【図６Ｄ】シャッターユニット１９０の走行中の模式図
【図７】レンズユニット２００の挿入状態を説明するための図
【図８Ａ】ボディマウント１５０およびその周辺の平面図
【図８Ｂ】カメラ本体３００の概略構成図
【発明を実施するための形態】
【０００８】
＜第１実施形態＞
（１：構成）
（１−１：デジタルカメラの概要）
図１〜図３に示すように、第１実施形態に係るデジタルカメラ１は、カメラ本体１００と、カメラ本体１００に装着可能なレンズユニット２００と、を備えている。
一眼レフレックスカメラとは異なり、カメラ本体１００は、ミラーボックス装置を有していないので、一眼レフレックスカメラに比してフランジバックが短い。また、フランジバックを短くすることで、カメラ本体１００を小型化することができる。さらに、フランジバックを短くすることで、光学系の設計の自由度が高まるので、レンズユニット２００を小型化することができる。
【０００９】
なお、説明の便宜のため、デジタルカメラ１の被写体側を前、撮像面側を後ろまたは背、デジタルカメラ１の通常姿勢（以下、横撮り姿勢ともいう）における鉛直上側を上、鉛直下側を下ともいう。
（１−２：カメラ本体の構成）
図４および図５に示すように、カメラ本体１００は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、電子ビューファインダー１８０と、シャッターユニット１９０と、光学的ローパスフィルタ１１４と、振動板１１５と、外装部材１０１と、を備えている。
【００１０】
カメラ本体１００には、前から順に、ボディマウント１５０、シャッターユニット１９０、振動板１１５、光学的ローパスフィルタ１１４、ＣＭＯＳイメージセンサー１１０、ＣＭＯＳ回路基板１１３、メイン回路基板１４２およびカメラモニタ１２０が配置されている。
ＣＭＯＳイメージセンサー１１０は、レンズユニット２００により形成される被写体の光学像（以下、被写体像ともいう）を電気信号に変換することで被写体の画像データを生成する。生成された画像データは、ＣＭＯＳ回路基板１１３のＡＤコンバーター１１１（後述）でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１１】
ＣＭＯＳイメージセンサー１１０は、タイミング発生器１１２で生成されるタイミング信号に基づいて動作する。ＣＭＯＳイメージセンサー１１０は、ＣＭＯＳ回路基板１１３の制御により、静止画データおよび動画データの取得を行うことができる。取得された動画データはスルー画像の表示にも用いられる。
ここで、スルー画像とは、動画データのうちメモリーカード１７１に記録されない画像である。スルー画像は、主に動画であり、動画または静止画の構図を決めるためにカメラモニタ１２０および電子ビューファインダー１８０（以下、ＥＶＦとも言う）に表示される。
なお、ＣＭＯＳイメージセンサー１１０は被写体の光学像を撮像して電気的な画像信号に変換する撮像素子の一例である。撮像素子は、ＣＭＯＳイメージセンサー１１０やＣＣＤイメージセンサー等の光電変換素子を含む概念である。
【００１２】
ＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０から出力される画像データに所定の処理を施す回路基板であり、図３に示すように、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
カメラモニタ１２０は、例えば液晶ディスプレイであり、表示用画像データを画像として表示する。表示用画像データは、画像処理された画像データや、デジタルカメラ１の撮影条件、操作メニュー等を画像として表示するためのデータ等であり、カメラコントローラー１４０で生成される。カメラモニタ１２０は、動画も静止画も選択的に表示可能である。
【００１３】
図５に示すように、カメラモニタ１２０はカメラ本体１００の背面に配置されている。カメラモニタ１２０はカメラ本体１００のどこに配置されていてもよい。カメラモニタ１２０は、外装部材１０１に対する表示画面の角度が変更可能である。具体的には図１、図２および図５に示すように、カメラ本体１００は、外装部材１０１とカメラモニタ１２０とを回転可能に連結するヒンジ１２１を有している。ヒンジ１２１は、横撮り姿勢の状態で背面側から見てカメラ本体１００の左端に配置されている。ヒンジ１２１は、横撮り姿勢の状態で鉛直方向に平行に配置される第１回転軸と、横撮り姿勢の状態で水平面に平行に配置される第２回転軸と、を有している。第１および第２回転軸周りにカメラモニタ１２０を回転させることで、カメラモニタ１２０の外装部材１０１に対する姿勢を自在に変えることができる。
【００１４】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
電子ビューファインダー１８０は、カメラコントローラー１４０で生成された表示用画像データを画像として表示する。ＥＶＦ１８０は、動画も静止画も選択的に表示可能である。また、ＥＶＦ１８０とカメラモニタ１２０とは、同じ内容を表示する場合と、異なる内容を表示する場合とがあり、ともにカメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００１５】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
また、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を有している。レリーズ釦１３１はユーザーによるシャッター操作を受け付ける。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。電源スイッチ１３２は電源の切り替えを操作するための電源操作部の一例である。
【００１６】
カメラコントローラー１４０は、メイン回路基板１４２上に配置されており、ＣＭＯＳイメージセンサー１１０等の各部を含むカメラ本体１００全体を制御する。カメラコントローラー１４０は、操作部１３０と電気的に接続されており、操作部１３０から操作信号が入力される。カメラコントローラー１４０は、制御動作や画像処理動作の際に、ＤＲＡＭ１４１をワークメモリとして使用する。
また、カメラコントローラー１４０は、レンズユニット２００を制御するための信号を、ボディマウント１５０およびレンズマウント２５０を介してレンズコントローラー２４０に送信し、レンズユニット２００の各部を間接的に制御する。また、カメラコントローラー１４０は、ボディマウント１５０およびレンズマウント２５０を介して、レンズコントローラー２４０から各種信号を受信する。すなわち、カメラコントローラー１４０は、デジタルカメラ１全体を制御する。カメラコントローラー１４０はボディ制御部の一例である。
【００１７】
カメラコントローラー１４０は、ＣＰＵ（Central Processing Unit）、ＲＯＭ（Read Only Memory）およびＲＡＭ（Random Access Memory）を有しており、ＲＯＭに格納されたプログラムがＣＰＵに読み込まれることで様々な機能を実現し得る。
例えば、図３に示すように、カメラコントローラー１４０は、電力の供給が停止している状態でシャッターユニット１９０が開口状態を保持するように、シャッターユニット１９０を制御するシャッター制御部１４５を有している。シャッター制御部１４５がこのようにシャッターユニット１９０を制御することで、電源１６０からの電力の供給が停止した状態でシャッターユニット１９０の開口状態を保持することができる。
また、シャッター制御部１４５は、例えば、レンズユニット２００がボディマウント１５０から取り外されている状態でシャッターユニット１９０が開口状態を保持するようにシャッターユニット１９０を制御する。さらに、シャッター制御部１４５は、再生モードでシャッターユニット１９０が開口状態を保持するようにシャッターユニット１９０を制御する。
【００１８】
さらに、図３に示すように、カメラコントローラー１４０は、レンズユニット２００がカメラ本体１００（より詳細には、ボディマウント１５０）に装着されているか否かを検知するレンズ検知部１４６を有している。具体的には、レンズユニット２００がカメラ本体１００に装着されると、カメラコントローラー１４０とレンズコントローラー２４０との間で信号の送受信が行われる。レンズ検知部１４６は、信号の送受信に基づいてレンズユニット２００が装着されているか否かを判定する。前述のシャッター制御部１４５は、レンズ検知部１４６の検知結果に基づいてシャッターユニット１９０を制御する。具体的には、シャッター制御部１４５は、レンズユニット２００がボディマウント１５０から取り外されている場合にシャッターユニット１９０が開口状態を保持するようにシャッターユニット１９０を制御する。
【００１９】
なお、シャッター制御部１４５はカム部材１９０Ｕの回転位置をシャッターモーター１９９の駆動信号をカウントすることで把握し得る。これにより、シャッター制御部１４５はシャッターユニット１９０の状態（図６Ａ、図６Ｂ、図６Ｃのいずれかの状態）を認識することができる。
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納し、メモリーカード１７１から画像データを出力する。例えば、カードスロット１７０は、メモリーカード１７１に動画データを格納し、メモリーカード１７１から動画データを出力する。
【００２０】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、カードスロット１７０を介して、予め内部に格納された画像データまたは画像ファイルをメモリーカード１７１から出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルを伸張などして表示用画像データを生成する。
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、カードスロット１７０を介して、予め内部に格納された動画データまたは動画ファイルをメモリーカード１７１から出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００２１】
なお、メモリーカード１７１は撮像素子により生成された電気信号を記録する記録部の一例である。記録部は、メモリーカード１７１のようにカメラ本体１００に装着可能なメモリでもよく、デジタルカメラ１に搭載されているメモリでもよい。
電源１６０は、デジタルカメラ１の各部に電力を供給する。電源１６０は、例えば、乾電池であってもよいし、充電池であってもよい。また、電源１６０は、電源コード等を介してデジタルカメラ１に電力を供給する外部電源であってもよい。
ボディマウント１５０は、レンズユニット２００を装着可能であり、レンズユニット２００が装着された状態でレンズユニット２００を保持する。ボディマウント１５０は、レンズユニット２００のレンズマウント２５０と機械的および電気的に接続可能である。ボディマウント１５０とレンズマウント２５０とを介して、カメラ本体１００とレンズユニット２００との間で、データおよび／または制御信号を送受信可能である。具体的には、ボディマウント１５０とレンズマウント２５０とは、カメラコントローラー１４０とレンズコントローラー２４０との間で、データおよび／または制御信号を送受信する。ボディマウント１５０は、電源１６０から受けた電力を、レンズマウント２５０を介してレンズユニット２００全体に供給する。
【００２２】
具体的には、ボディマウント１５０は、ボディマウントリング１５１と、ボディマウント接点保持部１５２と、を含む。ボディマウントリング１５１は、レンズユニット２００を嵌め込み可能な環状の部材であり、第１開口１５１ａを有している。レンズユニット２００のレンズマウントリング２５１との光軸ＡＸまわりの回転位置関係により、レンズマウントリング２５１と嵌合している状態または嵌合していない状態となる。すなわち、ボディマウントリング１５１とレンズマウントリング２５１との回転位置関係が第１の状態である場合には、レンズマウントリング２５１はボディマウントリング１５１に嵌合しておらす、レンズマウントリング２５１はボディマウントリング１５１に対して光軸ＡＸに平行な方向（以下、光軸方向ともいう）に移動可能（つまり、取り外し可能）である。
また、第１の状態でレンズマウントリング２５１をボディマウントリング１５１に挿入し、レンズマウントリング２５１をボディマウントリング１５１に対して回転させると、レンズマウントリング２５１はボディマウントリング１５１に嵌合する。このときのボディマウントリング１５１とレンズマウントリング２５１との回転位置関係を第２の状態とすると、回転位置関係が第２の状態の場合、ボディマウントリング１５１はレンズユニット２００を機械的に保持する。ボディマウントリング１５１がレンズユニット２００を機械的に保持するため、ボディマウントリング１５１はある程度の強度が要求される。したがって、ボディマウントリング１５１は、金属で形成されているのが好ましい。
【００２３】
ボディマウント接点保持部１５２は、ボディマウントリング１５１とシャッターユニット１９０との間に配置されており、複数の電気接点１５３を有する。レンズユニット２００がボディマウント１５０に装着されている状態で、複数の電気接点１５３は、レンズマウント２５０が有する複数の電気接点２５３とそれぞれ接触している。ボディマウント１５０の電気接点１５３とレンズマウント２５０の電気接点２５３とが接触している状態で、ボディマウント１５０とレンズマウント２５０とは電気的に接続可能となっている。また、ボディマウント１５０の電気接点１５３とレンズマウント２５０の電気接点２５３とを介してカメラ本体１００とレンズユニット２００との間で電力の供給、データおよび制御信号の送受信が行われる。
図２に示すように、ボディマウント接点保持部１５２は、第２開口１５２ａを有する。第２開口１５２ａの内径は、ボディマウントリング１５１の第１開口１５１ａの内径よりも小さい。ボディマウント接点保持部１５２はレンズユニット２００のカメラ本体１００への進入を防止する保護部材の一例である。
【００２４】
シャッターユニット１９０は、いわゆるフォーカルプレーンシャッターであり、ボディマウント１５０とＣＭＯＳイメージセンサー１１０との間に配置される。シャッターユニット１９０は、レンズユニット２００とＣＭＯＳイメージセンサー１１０との間の光路を遮断可能に設けられており、開口状態および閉口状態をとり得るシャッター機構１９８と、シャッター機構１９８を駆動するシャッターモーター１９９（シャッター駆動部の一例）と、を有している。シャッター機構１９８は、主に、後幕１９０Ａと、先幕１９０Ｂと、開口部１９０Ｄを有するシャッター保持枠１９０Ｃと、を有する。シャッターモーター１９９は、例えばステッピングモータであり、カメラコントローラー１４０のシャッター制御部１４５により制御される。
シャッターユニット１９０は、電力が供給されていない状態で機械的に開口状態を保持可能であり、カメラ本体１００の電源の供給が停止した状態で機械的に開口状態が保持されるようにカメラコントローラー１４０により制御される。ここで、開口状態を機械的に保持するとは、電気の力を使わずに開口状態を保持するという概念である。開口状態を機械的に保持する具体的構成としては、例えば、先幕および後幕を開口状態に対応する位置で特定の部材を用いて保持する構成や、先幕および後幕を開口状態に対応する位置で永久磁石の磁力によって保持する構成が挙げられる。
【００２５】
以下、シャッターユニット１９０の実施形態の一例を図６Ａから図６Ｄを用いて説明する。図６Ａは、シャッターユニット１９０の閉口状態（第２状態の一例）の模式図である。図６Ｂは、シャッターユニット１９０の開口状態（第１状態の一例）の模式図である。図６Ｃは、シャッターユニット１９０の走行準備状態の模式図である。図６Ｄは、シャッターユニット１９０の走行中の模式図である。
まず、図６Ａを用いて閉口状態を説明する。後幕１９０Ａは第１バネ１９０Ｅによって、上方向、すなわち開口部１９０Ｄから退避する方向に引っ張られている。また、先幕１９０Ｂは第２バネ１９０Ｆによって、上方向、すなわち開口部１９０Ｄを遮蔽する方向に引っ張られている。後幕走行部材１９０Ｇには、第１吸着片１９０Ｈが取り付けられている。また、後幕走行部材１９０Ｇは、上下方向に移動可能であり、第３バネ１９０Ｉによって下方向に付勢されている。先幕走行部材１９０Ｊには、第２吸着片１９０Ｋが取り付けられている。また、先幕走行部材１９０Ｊは、上下方向に移動可能であり、第４バネ１９０Ｌによって下方向に付勢されている。第３バネ１９０Ｉは第１バネ１９０Ｅよりもバネ係数が大きい。また、第４バネ１９０Ｌは第２バネ１９０Ｆよりもバネ係数が大きい。第１バネ１９０Ｅ、第２バネ１９０Ｆ、第３バネ１９０Ｉおよび第４バネ１９０Ｌは、例えば、シャッター保持枠１９０Ｃに取り付けられている。
【００２６】
第１電磁コイル１９０Ｍと第１吸着片１９０Ｈとが接触し、かつ、第２電磁コイル１９０Ｎと第２吸着片１９０Ｋとが接触した状態で、第１電磁コイル１９０Ｍおよび第２電磁コイル１９０Ｎに通電すると、電磁力により第１電磁コイル１９０Ｍに第１吸着片１９０Ｈが吸着され、第２電磁コイル１９０Ｎに第２吸着片１９０Ｋが吸着される。第１電磁コイル１９０Ｍおよび第２電磁コイル１９０Ｎは、例えば、シャッター保持枠１９０Ｃに取り付けられている。閉口状態（図６Ａ）では、第１電磁コイル１９０Ｍおよび第２電磁コイル１９０Ｎに通電していない。
後幕１９０Ａと先幕１９０Ｂは上下方向に移動可能である。後幕１９０Ａには第１当接部１９０Ｐが設けられており、先幕１９０Ｂには第２当接部１９０Ｑが設けられている。後幕走行部材１９０Ｇの下部と第１当接部１９０Ｐの上部は接触するようになっている。第１当接部１９０Ｐの上下の移動範囲の上端は後幕走行部材１９０Ｇの位置によって決まる。
【００２７】
チャージ部材１９０Ｒは、上下方向に移動可能に設けられており、第５バネ１９０Ｓによって下方向に引っ張られている。チャージ部材１９０Ｒは第１ピン１９０Ｔを有しており、第１ピン１９０Ｔは、カム部材１９０Ｕによって駆動されるチャージレバー１９０Ｖと当接している。カム部材１９０Ｕはシャッターモーター１９９によって回転駆動される。閉口状態（図６Ａ）でのカム部材１９０Ｕの回転位置を閉口位置ＰＡとする。カム部材１９０Ｕが閉口位置ＰＡの状態ではカム部材１９０Ｕがチャージレバー１９０Ｖの第２ピン１９０Ｗに力を与えていないため、この状態ではチャージ部材１９０Ｒおよびチャージレバー１９０Ｖは第５バネ１９０Ｓによって下側に引っ張られている。
チャージ部材１９０Ｒは後幕走行部材１９０Ｇの下部および先幕走行部材１９０Ｊの下部と接触可能である。閉口状態（図６Ａ）では、チャージ部材１９０Ｒが下側にあるため、第３バネ１９０Ｉおよび第４バネ１９０Ｌの弾性力によって、後幕１９０Ａおよび先幕１９０Ｂは下側に引っ張られる。この結果、後幕１９０Ａは第１バネ１９０Ｅの弾性力に対抗して開口部１９０Ｄを遮蔽し、先幕１９０Ｂは第２バネ１９０Ｆの弾性力に対抗して開口部１９０Ｄから下側に退避する。
【００２８】
チャージ部材１９０Ｒの第３ピン１９０Ｘは、回転レバー１９０Ｙの案内スリット１９２に挿入されている。回転レバー１９０Ｙは回転軸１９１がシャッター保持枠１９０Ｃに支持されているため、回転レバー１９０Ｙはシャッター保持枠１９０Ｃに対して回転可能となっている。チャージ部材１９０Ｒが上下に移動すると、第３ピン１９０Ｘが案内スリット１９２に案内され、その結果、チャージ部材１９０Ｒの上下運動に応じて回転レバー１９０Ｙが回転する。
回転レバー１９０Ｙの案内スリット１９２と反対側の自由端部１９０Ｚは、上下方向に第３ピン１９０Ｘ側の端部と反対側に動く。自由端部１９０Ｚが先幕１９０Ｂの第２当接部１９０Ｑの上部と接触可能な軌跡を描くように回転レバー１９０Ｙは構成されている。閉口状態（図６Ａ）では、自由端部１９０Ｚは上に位置しているので、先幕１９０Ｂの第２当接部１９０Ｑは自由端部１９０Ｚと接触していない。
【００２９】
このように、シャッターユニット１９０は、閉口状態（図６Ａ）を機械的に保持できる。
次に、図６Ｂを用いて開口状態を説明する。閉口状態（図６Ａ）から、カム部材１９０Ｕがシャッターモーター１９９によって右回りに回転すると、カム部材１９０Ｕが第２ピン１９０Ｗを押圧し、チャージレバー１９０Ｖが左回りに回転する。このとき、チャージレバー１９０Ｖとチャージ部材１９０Ｒの第１ピン１９０Ｔが接触しているため、チャージ部材１９０Ｒは第５バネ１９０Ｓの弾性力に抗して上方向に移動する。そして、チャージ部材１９０Ｒが後幕走行部材１９０Ｇの下部および先幕走行部材１９０Ｊの下部に接触し、後幕走行部材１９０Ｇおよび先幕走行部材１９０Ｊがチャージ部材１９０Ｒを介してチャージレバー１９０Ｖにより上方向に押し上げられる。すると、第１バネ１９０Ｅおよび第２バネ１９０Ｆの弾性力によって後幕１９０Ａの第１当接部１９０Ｐは後幕走行部材１９０Ｇの下部に接触した状態で上方向へと移動し、先幕１９０Ｂの第２当接部１９０Ｑは先幕走行部材１９０Ｊの下部に接触した状態で上方向へと移動する。
【００３０】
チャージ部材１９０Ｒが上へ移動すると、同時に回転レバー１９０Ｙは右回りに回転し、ある程度チャージ部材１９０Ｒの上への移動が進むと、回転レバー１９０Ｙの自由端部１９０Ｚが先幕１９０Ｂの第２当接部１９０Ｑと接触し、先幕１９０Ｂは回転レバー１９０Ｙにより下方向へ押し戻される。カム部材１９０Ｕが図６Ｂに示す位置（開口位置ＰＢ）まで回転して停止すると、各部材も図６Ｂに示す状態となる。
図６Ｂに示す状態では、チャージ部材１９０Ｒに第５バネ１９０Ｓ、第３バネ１９０Ｉおよび第４バネ１９０Ｌの弾性力が作用しているが、チャージレバー１９０Ｖの第２ピン１９０Ｗがカム部材１９０Ｕの回転中心と同心のカム面に乗り上げるため、チャージレバー１９０Ｖからカム部材１９０Ｕに作用する力でカム部材１９０Ｕは回転しない。このため、シャッターモーター１９９に通電しなくても、カム部材１９０Ｕおよび第２ピン１９０Ｗは図６Ｂに示す状態を保持し、チャージ部材１９０Ｒは上に位置した状態で保持される。
【００３１】
この結果、後幕走行部材１９０Ｇおよび後幕走行部材１９０Ｇはチャージ部材１９０Ｒによって上に位置した状態で保持される。このとき、第１吸着片１９０Ｈは第１電磁コイル１９０Ｍに押し付けられた状態で保持され、第２吸着片１９０Ｋは第２電磁コイル１９０Ｎに押し付けられた状態で保持される。第１電磁コイル１９０Ｍおよび第２電磁コイル１９０Ｎには通電していなくても、これらの状態が保たれる。
また、後幕１９０Ａは、第１バネ１９０Ｅの弾性力によって、上の位置、すなわち、開口部１９０Ｄから退避した位置で保持される。また、回転レバー１９０Ｙの自由端部１９０Ｚが下に位置した状態で保持されるため、先幕１９０Ｂは自由端部１９０Ｚによって下の位置、すなわち、開口部１９０Ｄから退避した位置で保持される。つまり、上記の各部材の状態が機械的に保持されることで、シャッターユニット１９０の開口状態（図６Ｂ）が機械的に保持され、ＣＭＯＳイメージセンサー１１０への光路が開かれる。
【００３２】
このように、カム部材１９０Ｕを図６Ｂに示す開口位置ＰＢまで回転駆動することで、シャッターユニット１９０は電力の供給がなくても開口状態（図６Ｂ）を機械的に保持できる。
次に、図６Ｃを用いて走行準備状態を説明する。ユーザーがカメラ本体１００のレリーズ釦１３１を押し込むと、第１電磁コイル１９０Ｍおよび第２電磁コイル１９０Ｎが通電され、第１電磁コイル１９０Ｍが第１吸着片１９０Ｈを吸着し、第２電磁コイル１９０Ｎが第２吸着片１９０Ｋを吸着する。その後、カム部材１９０Ｕが右方向に回転し図６Ｃに示す位置（走行準備位置ＰＣ）まで駆動されると、チャージレバー１９０Ｖおよびチャージ部材１９０Ｒの機械的な保持が解除され、チャージレバー１９０Ｖが右回りに回転する。チャージレバー１９０Ｖが右回りに回転すると、チャージ部材１９０Ｒは第５バネ１９０Ｓの弾性力によって下側に移動する。このとき、第１電磁コイル１９０Ｍおよび第２電磁コイル１９０Ｎの吸着力によって後幕走行部材１９０Ｇおよび先幕走行部材１９０Ｊは上に位置した状態を保つ。さらに、第１バネ１９０Ｅの力によって後幕１９０Ａの開口状態が保持される。
【００３３】
一方で、チャージレバー１９０Ｖの回転に伴い、回転レバー１９０Ｙは左回りに回転し、自由端部１９０Ｚおよび第２当接部１９０Ｑの接触が解除される。この結果、先幕１９０Ｂは第２バネ１９０Ｆの弾性力によって第２当接部１９０Ｑが先幕走行部材１９０Ｊと接触する位置まで上昇する。すなわち、先幕１９０Ｂは開口部１９０Ｄを遮蔽する。第２当接部１９０Ｑが先幕走行部材１９０Ｊと接触すると、先幕１９０Ｂは閉口位置で停止し、遮蔽状態を保持する。このとき、チャージ部材１９０Ｒは、後幕走行部材１９０Ｇおよび先幕走行部材１９０Ｊの下方向の走行経路から退避している。
次に、図６Ｄを用いて走行中の状態を示す。走行中にはカム部材１９０Ｕ、チャージレバー１９０Ｖ、チャージ部材１９０Ｒおよび回転レバー１９０Ｙの動きに変化はない。走行準備状態（図６Ｃ）から、第２電磁コイル１９０Ｎへの通電を遮蔽すると、第２電磁コイル１９０Ｎと第２吸着片１９０Ｋとの間に作用する吸着力が解除される。すると、先幕１９０Ｂにかかる第２バネ１９０Ｆの上方向の弾性力よりも、先幕走行部材１９０Ｊを介して先幕１９０Ｂに作用する第４バネ１９０Ｌの下方向の弾性力の方が大きいので、先幕１９０Ｂは下方向に走行し、その結果、開口部１９０Ｄが開口する。
【００３４】
先幕１９０Ｂが走行を開始した後（つまり、第２電磁コイル１９０Ｎへの通電を遮蔽した後）、第１電磁コイル１９０Ｍへの通電を遮蔽すると、第１電磁コイル１９０Ｍと第１吸着片１９０Ｈとの吸着力が解除される。すると、後幕１９０Ａに作用する第１バネ１９０Ｅの上方向の弾性力よりも、後幕走行部材１９０Ｇを介して後幕１９０Ａに作用する第３バネ１９０Ｉの下方向の弾性力の方が大きいので、後幕１９０Ａは下方向に走行し、その結果、開口部１９０Ｄが後幕１９０Ａにより遮蔽される。先幕１９０Ｂと後幕１９０Ａとは隙間Ｓを維持したまま走行する。移動が完了すると、閉口状態（図６Ａ）になる。
先幕１９０Ｂおよび後幕１９０Ａの走行中、先幕１９０Ｂおよび後幕１９０Ａの間に形成された隙間Ｓを通った光がＣＭＯＳイメージセンサー１１０に入射する。先幕１９０Ｂおよび後幕１９０Ａの走行により、隙間Ｓが上から下に移動し、ＣＭＯＳイメージセンサー１１０全体が露光される。隙間Ｓの寸法を適宜調整することでＣＭＯＳイメージセンサー１１０の露光時間を制御することが可能となっている。具体的には、先幕１９０Ｂの保持の解除から後幕１９０Ａの保持の解除までの時間を露光したい時間に設定することで、所望の露光時間でＣＭＯＳイメージセンサー１１０を露光できる。
【００３５】
再び静止画撮影モードやＣＭＯＳイメージセンサー１１０による動画の撮影を行う場合は、遮光状態（図６Ａ）からカム部材１９０Ｕを開口位置ＰＢまで回転して開口状態（図６Ｂ）に移行する。
なお、上述の構成は、開口状態を機械的に保持するシャッターユニットの一例である。また、カム部材１９０Ｕ、チャージレバー１９０Ｖ、チャージ部材１９０Ｒ、回転レバー１９０Ｙおよび第１バネ１９０Ｅ等は、シャッターユニット１９０の開口状態を保持するメカロック機構の一例である。
光学的ローパスフィルタ１１４は、被写体光の高周波成分を取り除く。具体的には、光学的ローパスフィルタ１１４は、ＣＭＯＳイメージセンサー１１０の画素のピッチよりも荒い解像度となるようにレンズユニット２００により形成される被写体像を分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。さらに光学的ローパスフィルタ１１４には、赤外光をカットするためのＩｒカットフィルタ機能も併せ持たせている。
【００３６】
振動板１１５は、レンズユニット２００からＣＭＯＳイメージセンサー１１０までの光路上に配置されており、ＣＭＯＳイメージセンサー１１０よりも前（被写体側）に配置されている。振動板１１５は、ＣＭＯＳイメージセンサー１１０への埃の付着を防ぎ、さらに、自身に付着した埃を振動により振り落とす。具体的には、振動板１１５は、外装部材１０１に支持されたベース枠（図示せず）と、透明の薄い保護シート１１５ｂと、保護シート１１５ｂに振動を付与する圧電素子（図示せず）と、を有している。圧電素子に交流電圧を印加して圧電素子を振動させることで、ベース枠に対して保護シート１１５ｂを振動させる。
図２および図４に示すように、保護シート１１５ｂは、レンズユニット２００が取り外されている状態でシャッターユニット１９０の開口部１９０Ｄから外部に露出する露出領域Ａ１を有している。露出領域Ａ１の前面（被写体側の面）には、防曇層が形成されている。具体的には、露出領域Ａ１には酸化チタン等の透明な光触媒が塗布されている。この光触媒は可視光を透過する。
【００３７】
なお、防曇層は、光学的ローパスフィルタ１１４の前面、または、ＣＭＯＳイメージセンサー１１０の前面にも形成してもよい。レンズユニット２００からＣＭＯＳイメージセンサー１１０までの光路に配置されレンズユニット２００からの光を透過する部材のうち、最も前方に配置される部材の前面に防曇層を設けるのが好ましい。本実施形態では、レンズユニット２００からの光を透過する部材のうち、防曇層が形成された振動板１１５が最も前方に配置されているので、シャッターユニット１９０が開口状態であっても、ボディマウント１５０から進入した唾液等の水分または油分等が、光触媒である酸化チタンにより振動板１１５の表面から容易に除去できる。
具体的には、酸化チタンに光が当ることにより、電子が飛び出し、強力な酸化力が発生する。この強力な酸化力を持った表面が、空気中の水酸化物イオンから電子を奪い、水酸化物イオンは非常に不安定な水酸化ラジカルとなる。水酸化ラジカルもまた強力な酸化力を持つため、近くにある有機物から電子を奪い、有機物は二酸化炭素と水分となり、空気中に放出される。また、振動板１１５を振動させることによりその効果はさらに顕著なものとなる。さらに、光触媒としては、酸化チタンのような紫外線を吸収するものや、赤外線を吸収するものが好ましい。これらは可視光を透過するため、ＣＭＯＳイメージセンサー１１０に到達する可視光の減少を抑えることができる。
【００３８】
（１−３：レンズユニットの構成）
レンズユニット２００は、光学系とレンズコントローラー２４０とレンズマウント２５０と絞りユニット２６０とレンズ筒２９０とを備える。レンズユニット２００の光学系はズームレンズ２１０、ＯＩＳレンズ２２０、および、フォーカスレンズ２３０を含む。光学系は、レンズ筒２９０の内部に収容されている。また、レンズ筒の外部には、ズームリング２１３とフォーカスリング２３４とＯＩＳスイッチ２２４とが設けられている。
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚または複数枚のレンズで構成される。ズームレンズ２１０は、光学系の第１レンズ群Ｌ１と第２レンズ群Ｌ２とを含む。ズームレンズ２１０が光軸ＡＸと平行な方向に移動することにより、光学系の焦点距離が変化する。
【００３９】
ズームリング２１３は筒状の部材であり、レンズ筒２９０の外周面で回転可能である。駆動機構２１１は、ユーザーによりズームリング２１３が操作されると、当該操作をズームレンズ２１０に伝え、ズームレンズ２１０を光学系の光軸ＡＸ方向に沿って移動させる。
検出器２１２は、駆動機構２１１における駆動量を検出する。レンズコントローラー２４０および／またはカメラコントローラー１４０は、この検出器２１２における検出結果を取得することにより、光学系における焦点距離を把握することができる。また、レンズコントローラー２４０および／またはカメラコントローラー１４０は、この検出器２１２における検出結果を取得することにより、ズームレンズ（Ｌ１，Ｌ２等）のレンズユニット２００内での光軸ＡＸ方向の位置を把握することができる。なお、駆動機構２１１は、ズームレンズ２１０を光軸ＡＸ方向に沿って移動できればよい。例えば、駆動機構２１１は、ズームリング２１３等の操作部の回転位置に従ってモータ等の駆動力発生部からの駆動力をズームレンズ２１０に伝え、ズームレンズ２１０をズームリング２１３の回転位置に対応する光軸ＡＸ方向の位置に移動するものであってもよい。
【００４０】
ＯＩＳレンズ２２０は、レンズユニット２００の光学系で形成される被写体像のぶれを補正するためのレンズである。ＯＩＳレンズ２２０は、１枚または複数枚のレンズで構成される。アクチュエータ２２１は、ＯＩＳ用ＩＣ２２３からの制御を受けて、光学系の光軸ＡＸに垂直な面内でＯＩＳレンズ２２０を駆動する。
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果およびジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００４１】
なお、ＯＩＳレンズ２２０は、ぶれ補正部の一例である。デジタルカメラ１のぶれによって生じる被写体像のぶれを補正する手段として、ＣＣＤからの画像データに基づいて補正した画像データを生成する電子式ぶれ補正を適用してもよい。また、デジタルカメラ１のぶれによって生じるＣＭＯＳイメージセンサー１１０と被写体像との相対的なぶれを小さくする手段として、ＣＭＯＳイメージセンサー１１０を光学系の光軸ＡＸと平行な垂直な面内で駆動する構成としてもよい。
ＯＩＳスイッチ２２４は、ＯＩＳを操作するための操作部の一例である。ＯＩＳスイッチ２２４をＯＦＦにするとＯＩＳレンズ２２０は動作しない。ＯＩＳスイッチ２２４をＯＮにするとＯＩＳレンズ２２０は動作可能となる。
フォーカスレンズ２３０は、光学系がＣＭＯＳイメージセンサー１１０上に形成する被写体像のフォーカス状態を変化させるためのレンズである。フォーカスレンズ２３０は、１枚または複数枚のレンズで構成される。ズームレンズ２１０は、光学系の光軸ＡＸと平行な方向に移動することにより被写体像のフォーカス状態を変化させる。
【００４２】
フォーカスモータ２３３は、レンズコントローラー２４０の制御に基づいて、フォーカスレンズ２３０が光学系の光軸ＡＸに沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との光軸ＡＸ方向の相対距離を変更可能である。フォーカスレンズ２３０とフォーカスモータ２３３とは第２レンズ群Ｌ２とともに光軸ＡＸ方向に移動する。従って、ズーム動作により第２レンズ群Ｌ２が光軸ＡＸ方向に移動すると、フォーカスレンズ２３０およびフォーカスモータ２３３も光軸ＡＸ方向に移動する。また、第２レンズ群Ｌ２が光軸ＡＸ方向に静止している状態でも、フォーカスモータ２３３は第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。
【００４３】
相対位置検出器２３１および絶対位置検出器２３２は、フォーカスレンズ２３０の駆動状態を示す信号を生成するエンコーダである。相対位置検出器２３１は、磁気スケールと磁気センサーとを有し、磁気の変化を検出し磁気の変化に応じた信号を出力する。磁気センサーは、例えばＭＲセンサーである。絶対位置検出器２３２は、第２レンズ群Ｌ２に対するフォーカスレンズ２３０の原点位置を検出する原点検出器である。絶対位置検出器２３２は、例えばフォトセンサである。レンズコントローラー２４０は、絶対位置検出器２３２からの信号によりフォーカスレンズ２３０が原点にあることを認識する。このとき、レンズコントローラー２４０は、内部に設けたカウンタ２４３の値をリセットする。このカウンタ２４３は、相対位置検出器２３１から出力される信号により磁気変化の極値をカウントする。これにより、レンズコントローラー２４０は、絶対位置である原点位置からの相対位置を検出することにより、第２レンズ群Ｌ２に対するフォーカスレンズ２３０の光軸ＡＸ方向の位置を把握可能である。また、上述のとおり、レンズコントローラー２４０は、第２レンズ群Ｌ２のレンズユニット２００内での光軸ＡＸ方向の位置を把握可能である。従って、レンズコントローラー２４０は、フォーカスレンズ２３０のレンズユニット２００内での光軸ＡＸ方向の位置を把握可能である。
【００４４】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
レンズコントローラー２４０は、カメラコントローラー１４０からの制御信号に基づいて、ＯＩＳ用ＩＣ２２３やフォーカスモータ２３３などのレンズユニット２００の各部を制御する。また、検出器２１２、ＯＩＳ用ＩＣ２２３、相対位置検出器２３１、絶対位置検出器２３２などから信号を受信して、カメラコントローラー１４０に送信する。レンズコントローラー２４０は、カメラコントローラー１４０との送受信を、レンズマウント２５０およびボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００４５】
（１−４：構成上の特徴）
カメラ本体１００は、ミラーボックス装置を有していない。そして、フランジバックを短くすることが可能となり、カメラ本体１００を小型化することが可能である。さらに、フランジバックが短いため、光学系の設計の自由度が増し、レンズユニット２００の小型化が可能である。したがって、デジタルカメラ１の小型化が可能である。
しかし、ミラーボックス装置が省略されている場合、ボディマウント１５０付近にシャッターユニット１９０などの部品が配置されるので、ボディマウント１５０内にレンズユニット２００が傾いた状態で進入することにより、これらの部品が破損するおそれがある。
図７は、レンズユニット２００の装着時の状態の一例を示す。破線の仮想円Ｃ１は、レンズユニット２００の外径と同じ大きさの円である。仮想円Ｃ１は、ボディマウントリング１５１の第１開口１５１ａと２点Ｐ１およびＰ２で接触している。この状態で、仮想円Ｃ１は、カメラ本体１００に入り込む可能性がある。仮想円Ｃ１は、レンズユニット２００がボディマウントリング１５１と接触する２点Ｐ１およびＰ２を結ぶ線がボディマウントリング１５１の第１開口１５１ａの中心を通る場合に最もカメラ本体１００に入り込む。また、仮想円Ｃ１の径が小さいほど、仮想円Ｃ１はカメラ本体１００に入り込む。
【００４６】
レンズユニット２００をボディマウントリング１５１に対して傾けた状態でボディマウントリング１５１に接触するようにすると、レンズユニット２００の一部がカメラ本体１００の内部に入り込む。図７に示す状態では、レンズユニット２００は、点Ｐを通り紙面に直交する線がボディマウントリング１５１の第１開口１５１ａと交わる２点で、ボディマウントリング１５１と接触している。そして、この２点での接触状態を維持したままレンズユニット２００を傾けると、レンズユニット２００が点Ｐ２と接触する。この状態で、レンズユニット２００はカメラ本体１００に最も入り込む。このように、レンズユニット２００は、傾いた状態でボディマウントリング１５１に接触するとカメラ本体１００の内部に入り込む。
デジタルカメラ１では、カメラ本体１００の小型化に伴いレンズユニット２００も小型化されているので、レンズユニット２００の外径が小さくなり（つまり、仮想円Ｃ１が小さくなり）、レンズユニット２００がカメラ本体１００に入り込む量が大きくなりやすい。また、カメラ本体１００はフランジバックを小さくできるため、ボディマウント１５０付近に部品を配置しやすくなり、この結果、レンズユニット２００とカメラ本体１００の内部の部材が干渉しやすくなる。特に、シャッターユニット１９０は、後幕１９０Ａまたは先幕１９０Ｂの強度が弱く、破損しやすい。さらに、レンズユニット２００は外部にＯＩＳスイッチ２２４のような突出した操作部を設けることもある。このような部材が図７のようにカメラ本体１００の内部に入り込むことも考えられる。
【００４７】
そこで、シャッターユニット１９０は、電源１６０からの電力の供給が停止した状態で開口状態を保持できるようになっている。具体的には、シャッターユニット１９０は、メカロック機構を有しており、電源１６０からの電力の供給が停止した状態で機械的に開口状態が保持されるようにカメラコントローラー１４０によって制御される。したがって、電力の供給が停止している状態でシャッターユニット１９０は開口状態を保持しており、電源１６０からの電力の供給が停止した状態でレンズユニット２００が交換されるような場合に、誤ってレンズユニット２００がカメラ本体１００の内部に侵入したとしても、シャッターユニット１９０（特に後幕１９０Ａまたは先幕１９０Ｂ）の破損を防止できる。
また、図７のレンズユニット２００の位置は、ボディマウント接点保持部１５２がない場合のカメラ本体１００への進入状態を示しているが、シャッターユニット１９０よりも先にボディマウント接点保持部１５２がレンズユニット２００と干渉するので、レンズユニット２００がシャッターユニット１９０と接触するのを防止できる。
【００４８】
また、ボディマウント接点保持部１５２の第２開口１５２ａの内径がボディマウントリング１５１の第１開口１５１ａの内径よりも小さいので、レンズユニット２００が内部に進入するのをより確実に防止することができ、シャッターユニット１９０の破損をより確実に防止できる。
なお、シャッターユニット１９０の開放を保持することにより、レンズユニット２００からＣＭＯＳイメージセンサー１１０までの光路に配置されるレンズユニット２００からの光を透過する部材のうち、最も前方に配置される部材の前面に唾液等の水分または油分等が付着する可能性があるが、振動板１１５の前面に防曇層を設けることによりこの問題を低減している。
（２：動作）
（２−１：静止画撮影動作）
操作部１３０の操作により、静止画撮影モードが選択されると、カメラコントローラー１４０は、動画撮影を行うようにＣＭＯＳイメージセンサー１１０を制御する。撮影された動画は、カメラモニタ１２０またはＥＶＦ１８０に表示される。このとき、動画はメモリーカード１７１には記録されない。ユーザーは、カメラモニタ１２０またはＥＶＦ１８０によって構図を決定する。ＡＥ制御およびＡＦ制御は、ＣＭＯＳイメージセンサー１１０から出力される画像データに基づいて行われる。このとき、シャッターユニット１９０は、開口状態を機械的に保持する。具体的には、後幕１９０Ａが開口状態（図６Ｂ）に対応する位置で機械的に保持される。
【００４９】
レリーズ釦１３１が操作されると、シャッターユニット１９０を上述のように駆動し、走行準備状態（図６Ｃ）を経て後幕１９０Ａおよび先幕１９０Ｂを走行し（図６Ｄ）、ＣＭＯＳイメージセンサー１１０を露光する。このとき、ＣＭＯＳイメージセンサー１１０により画像データが取得される。カメラコントローラー１４０は画像データに所定の画像処理を施し、画像データまたは動画データをメモリーカード１７１に記録する。その後、カメラコントローラー１４０のシャッター制御部１４５は、シャッター機構１９８の開口状態が機械的に保持されるようにシャッターユニット１９０のシャッターモーター１９９を制御する。具体的には、シャッター制御部１４５で生成される制御信号に基づいてシャッターモーター１９９によりカム部材１９０Ｕが図６Ｂに示す開口位置ＰＢまで回転駆動され、図６Ｂに示す開口状態が機械的に保持される。これにより、静止画撮影モードの途中で電源１６０からの電力の供給が停止されても、電力の供給が停止している状態でシャッターユニット１９０の開口状態を保持することができ、レンズユニット２００がカメラ本体１００から取り外されている状態でシャッターユニット１９０の先幕１９０Ｂおよび後幕１９０Ａが破損するのを防止できる。
【００５０】
（２−２：動画撮影動作）
操作部１３０の操作により、動画撮影モードが選択されると、カメラコントローラー１４０は、動画撮影を行うようにＣＭＯＳイメージセンサー１１０を制御する。撮影された動画は、カメラモニタ１２０またはＥＶＦ１８０に表示される。このとき、動画はメモリーカード１７１には記録されない。ユーザーは、カメラモニタ１２０またはＥＶＦ１８０によって構図を決定する。ＡＥ制御およびＡＦ制御は、ＣＭＯＳイメージセンサー１１０から出力される画像データに基づいて行われる。
操作部１３０が操作され動画記録の開始が指示されると、カメラコントローラー１４０はＣＭＯＳイメージセンサー１１０から出力される動画データに所定の処理を施し、動画データまたは動画ファイルをメモリーカード１７１に記録する。操作部１３０が操作され動画記録の停止が指示されると、カメラコントローラー１４０は動画データまたは動画ファイルの記録を停止する。
【００５１】
動画撮影モードでは、カメラコントローラー１４０のシャッター制御部１４５は、シャッター機構１９８の開口状態が機械的に保持されるようにシャッターユニット１９０のシャッターモーター１９９を制御する。具体的には、シャッター制御部１４５で生成される制御信号に基づいてシャッターモーター１９９によりカム部材１９０Ｕが図６Ｂに示す開口位置ＰＢまで回転駆動され、図６Ｂに示す開口状態が機械的に保持される。これにより、動画撮影モードの途中で電源１６０からの電力の供給が停止されても、電力の供給が停止している状態でシャッターユニット１９０の開口状態を保持することができ、レンズユニット２００がカメラ本体１００から取り外されている状態でシャッターユニット１９０の先幕１９０Ｂおよび後幕１９０Ａが破損するのを防止できる。
（２−３：再生動作）
操作部１３０の操作により、再生モードが選択されると、カメラコントローラー１４０はメモリーカード１７１から取得した画像データ、画像ファイル、動画データまたは動画ファイルを伸張して表示用画像データまたは表示用動画データを生成する。カメラモニタ１２０またはＥＶＦ１８０は表示用画像データまたは表示用動画データを表示する。
【００５２】
再生モードでは、カメラコントローラー１４０のシャッター制御部１４５は、シャッターユニット１９０が開口状態を機械的に保持するようにシャッターユニット１９０を制御する。具体的には、シャッター制御部１４５はカム部材１９０Ｕの回転位置をシャッターモーター１９９の駆動信号をカウントすることで把握し得る。カム部材１９０Ｕが図６Ｂに示す開口位置ＰＢからずれていれば、カム部材１９０Ｕが開口位置ＰＢになるようにシャッター制御部１４５はシャッターモーター１９９を駆動する。なお、すでにカム部材１９０Ｕが開口位置ＰＢであれば、シャッター制御部１４５はシャッターモーター１９９を駆動しない。
このような制御により、再生モードにおいてシャッターユニット１９０に開口状態を機械的に保持させることができる。したがって、再生モードの途中で電源１６０からの電力の供給が停止されても、電力の供給が停止している状態でシャッターユニット１９０の開口状態を保持することができる。
【００５３】
（２−４：その他の動作）
その他の動作モード、例えばカメラの各種設定を行うモードにおいても、基本的に、カメラコントローラー１４０のシャッター制御部１４５は、開口状態を機械的に保持するようにシャッターユニット１９０を制御する。したがって、不意にカメラ本体１００の電源１６０からの電力の供給が停止されても、電源１６０からの電力の供給が停止した状態で、シャッターユニット１９０の開口状態を確実に保持することができる。
（２−５：シャッターユニットの動作のまとめ）
上述のように、シャッターユニット１９０は、電源１６０からの電力の供給が停止した状態で開口状態を保持する。この動作は、シャッターユニット１９０がカメラコントローラー１４０によって、電源１６０からの電力の供給が停止する前に上述のように制御されることによって実現される。
【００５４】
電源１６０からの電力の供給が停止した状態では、レンズユニット２００がカメラ本体１００から外された状態であることを検知できない。すなわち、レンズユニット２００がカメラ本体１００から外されてからシャッターユニット１９０を開口状態にすることができない場合がある。しかし、本実施形態に係るカメラ本体１００は、電源１６０からの電力の供給が停止した状態でシャッターユニット１９０が開口状態であるため、レンズユニット２００をカメラ本体１００に装着する際にレンズユニット２００がボディマウント１５０内に入り込むことによるシャッターユニット１９０の破損を低減することが可能である。
（３：特徴）
以上に説明したデジタルカメラ１の特徴を以下にまとめる。
【００５５】
（１）
このカメラ本体１００では、電力の供給が停止している状態でシャッターユニット１９０が開口状態を保持するように、電力の供給が停止する前にシャッターユニット１９０がシャッター制御部１４５により制御される。これにより、電力の供給が停止された状態でシャッターユニット１９０の開口状態を保持することができ、レンズユニット２００がカメラ本体１００から取り外されている状態でシャッターユニット１９０の破損を防止することができる。
また、シャッターユニット１９０が機械的に開口状態（図６Ｂに示す状態）を保持可能であるため、電力の供給が停止した状態でシャッターユニット１９０の開口状態を保持するのが容易となる。
【００５６】
（２）
シャッターユニット１９０が、シャッター機構１９８と、シャッター機構１９８を駆動するシャッターモーター１９９と、を有している。シャッターモーター１９９は、機械的に開口状態が保持される第１状態（図６Ｂに示す状態）と、閉口状態が保持される第２状態（図６Ａに示す状態）と、にシャッター機構１９８を駆動可能となっている。さらに、シャッター制御部１４５が所定の条件でシャッター機構１９８を図６Ｂに示す状態に駆動する。
例えば、レンズ検知部１４６によりレンズユニット２００がボディマウント１５０に装着されているか否かが検知され、レンズユニット２００がボディマウント１５０から取り外されている場合に、シャッター制御部１４５によりシャッターユニット１９０が開口状態を保持するようにシャッターユニット１９０が制御される。より詳細には、シャッター制御部１４５は、レンズユニット２００がボディマウント１５０から取り外されている場合にシャッター機構１９８を図６Ｂに示す状態に駆動するようにシャッターモーター１９９を制御する。このため、電源がＯＮの状態でレンズユニット２００がカメラ本体１００から取り外されても、シャッターユニット１９０の開口状態を保持でき、シャッターユニット１９０の破損を防止することができる。
【００５７】
また、再生モードにおいて、シャッターユニット１９０が開口状態を保持するようにシャッターユニット１９０がシャッター制御部１４５により制御される。より詳細には、再生モードでシャッター機構１９８を図６Ｂに示す状態に駆動するようにシャッター制御部１４５によりシャッターモーター１９９が制御される。これらの構成により、再生モードで電源がＯＦＦになっても、シャッターユニット１９０の開口状態を保持できる。
さらに、電源スイッチ１３２がＯＦＦに操作された場合にシャッターユニット１９０が開口状態を保持するようにシャッターユニット１９０がシャッター制御部により制御される。より詳細には、電源スイッチ１３２がＯＦＦに操作された場合にシャッター機構１９８を図６Ｂに示す状態に駆動するようにシャッター制御部１４５によりシャッターモーター１９９が制御される。これらの構成により、電源の供給が停止する前にシャッターユニット１９０を開口状態に切り替えることができる。
【００５８】
以上に説明したように、カメラ本体１００であれば、シャッターユニット１９０の破損を確実に防止することができる。
（３）
図２および図３に示すように、ボディマウント１５０リングの第１開口１５１ａの内径よりもボディマウント接点保持部１５２の第２開口１５２ａの内径が小さいため、レンズユニット２００の一部がボディマウントリング１５１の第１開口１５１ａからカメラ本体１００の内部に侵入しても、ボディマウント接点保持部１５２によりレンズユニット２００の侵入を防止することができ、シャッターユニット１９０などの部品の破損を防止できる。
（４）
レンズユニット２００がボディマウント１５０から取り外されている状態でシャッターユニット１９０が開口状態を保持している場合、ＣＭＯＳイメージセンサー１１０やＣＭＯＳイメージセンサー１１０の被写体側に配置された光学的ローパスフィルタ１１４がホコリや唾液などの物質により汚れやすくなる。
【００５９】
このカメラ本体１００では、レンズユニット２００からＣＭＯＳイメージセンサー１１０までの光路上に保護シート１１５ｂが配置されているため、ＣＭＯＳイメージセンサー１１０および光学的ローパスフィルタ１１４が汚れるのを防止できる。
また、保護シート１１５ｂの露出領域Ａ１に光触媒を含む防曇層が設けられているため、保護シート１１５ｂの汚れを抑制あるいは除去しやすくなる。さらに、防曇層は光を透過する光触媒であるため、保護シート１１５ｂの表面に防曇層を設けても被写体光を効率的にＣＭＯＳイメージセンサー１１０に導くことが可能となる。
＜第２実施形態＞
ここでは、第１実施形態のカメラ本体１００と異なる点についてのみ説明し、共通する部分の説明を省略する。なお、第１実施形態と実質的に同一の機能を有する構成については同一の符号を付す。以下、第２実施形態に係るカメラ本体３００について説明する。図８Ａは、ボディマウント１５０およびその周辺の平面図である。図８Ｂは、カメラ本体３００の概略構成図である。
【００６０】
第１実施形態のカメラ本体１００は、振動板１１５およびその前面に防曇層を有しているが、それでもなお埃等の汚れが付着する場合がある。この場合、ユーザーがこの面を布等で拭いて汚れを落とそうとすることが考えられる。
しかし、汚れを完全に取り除くのは困難である。特に、布等を移動させた領域の端に汚れが移動し、汚れがそこに残りやすい。
そこで、このカメラ本体３００では、レンズユニット２００からＣＭＯＳイメージセンサー１１０までの光路上に配置されレンズユニット２００からの光を透過する部材のうち、最も前方に配置される部材に、汚れを残してもよい領域を設けている。
具体的には、図８Ａおよび図８Ｂに示すように、前述の第１実施形態に比べて、ボディマウント接点保持部３５２の第２開口３５２ａは、ボディマウント接点保持部１５２の第２開口１５２ａに比べて大きく、シャッターユニット３９０の開口部３９０Ｄは、シャッターユニット１９０の開口部１９０Ｄに比べて大きい。このため、振動板１１５の保護シート１１５ｂは外部に大きく露出している。
【００６１】
より詳細には、保護シート１１５ｂは、レンズユニット２００が取り外されている状態でシャッターユニット３９０の開口部３９０Ｄから外部に露出する露出領域Ａ１１を有している。前述の露出領域Ａ１と同様に、露出領域Ａ１１の前面（被写体側の面）には、防曇層が形成されている。具体的には、露出領域Ａ１１には酸化チタン等の透明な光触媒が塗布されている。この光触媒は可視光を透過する。露出領域Ａ１１はさらに、透過領域Ａ１２および外側領域Ａ１３を有している。
透過領域Ａ１２は、保護シート１１５ｂのうちレンズユニット２００を通過する光が通る領域１１８に対応しており、レンズユニット２００からＣＭＯＳイメージセンサー１１０までの光路上に配置されている。外側領域Ａ１３は、被写体側から見て透過領域Ａ１２よりも外側の範囲に形成されており、レンズユニット２００の光路外に配置されている。このため、レンズユニット２００を通過する光は外側領域Ａ１３を通過しない。つまり、透過領域Ａ１２とは異なり、外側領域Ａ１３は汚れを残してもよい領域と言える。例えば、外側領域Ａ１３の外形寸法は、透過領域Ａ１２の外形寸法よりも１ｍｍ以上大きい。なお、外側領域Ａ１３は透過領域Ａ１２の全周に設けられているが、透過領域Ａ１２の外側の一部に設けてもよい。
【００６２】
このように、露出領域Ａ１１が透過領域Ａ１２の周辺部に形成された外側領域Ａ１３を有しているため、透過領域Ａ１２に付着しているホコリなどの付着物を光学的に有効でない外側領域Ａ１３まで移動させるだけで、透過領域Ａ１２を清掃することができ、保護シート１１５ｂの清掃が容易となる。
また、外側領域Ａ１３に汚れを移動しやすいように、振動板１１５よりも被写体側に配置される部材、本実施形態ではシャッターユニット３９０の開口部３９０Ｄを、被写体側から見てＣＭＯＳイメージセンサー１１０により画像データに変換される被写体光がシャッターユニット３９０内を通過する領域１１９よりも大きく設定している。具体的には、開口部３９０Ｄは領域１１９よりも外側に１ｍｍ以上大きい。なお、第２実施形態では、開口部３９０Ｄは領域１１９に対して全方向に大きくしているが、一部の方向にのみ大きくしてもよい。
【００６３】
さらに、露出領域Ａ１１の透過領域Ａ１２と外側領域Ａ１３との境界を示す４つの印１１７が振動板１１５の保護シート１１５ｂに設けられている。ユーザーは、ボディマウントリング１５１からカメラ本体３００の内部を見て、振動板１１５の汚れを布等で拭くことができる。汚れは前から見てシャッターユニット１９０の開口領域の近く、すなわち、前から見て透過領域Ａ１２よりも外側の範囲に残る。しかし、この部分の汚れが撮影された画像に及ぼす影響は小さい。また、印１１７を設けることにより、どのあたりまで清掃する必要があるのかをユーザーが認識しやすくなる。したがって、印１１７を参考にユーザーが透過領域Ａ１２よりも周囲の外側領域Ａ１３に汚れを移動することで、少なくとも透過領域Ａ１２の清掃を確実に行うことができる。
なお、ＣＭＯＳイメージセンサー１１０は所定の領域１１６に含まれる各画素の電荷に基づいて画像データを生成する。ＣＭＯＳイメージセンサー１１０により画像データに変換される被写体光とは、レンズユニット２００からＣＭＯＳイメージセンサー１１０に導かれる被写体光のうち、所定の領域１１６に到達する被写体光のことを意味する。
【００６４】
＜その他の実施の形態＞
本発明は、前述の実施形態に限定されるものではなく、本発明の範囲を逸脱することなく種々の変形および修正が可能である。
（Ａ）
前述の第１および第２実施形態では、シャッターユニット１９０は、後幕１９０Ａと先幕１９０Ｂとを有しているが、先幕１９０Ｂを有していないシャッターユニットでもよい。この場合、先幕１９０Ｂと同様の機能をＣＭＯＳイメージセンサー１１０の駆動制御により実現する。具体的には、ＣＭＯＳイメージセンサー１１０は、各画素の電荷を上のラインから順次リセットする。そして、各ラインのリセット動作が下に移動するのを追いかけるように後幕１９０ＡがＣＭＯＳイメージセンサー１１０への光を上のラインから順に遮蔽する。このようにすれば、各画素は、リセットされてから入射光が遮光されるまでの期間に露光された分の電荷を蓄積する。なお、この場合においても、後幕１９０Ａは機械的に開口状態を保持できるようにしている。
【００６５】
（Ｂ）
防曇層は指紋のつきにくい多層膜ＡＲコートなどでもよい。
（Ｃ）
前述の実施形態では、デジタルカメラ１は、カメラモニタ１２０およびＥＶＦ１８０の両方を有しているが、カメラモニタ１２０およびＥＶＦ１８０のうち一方のみを有する構成でもよい。
（Ｄ）
前述の実施形態では、ＯＩＳレンズ２２０を有するデジタルカメラ１を例示したが、手振れ補正機能が搭載されていないデジタルカメラであってもよい。
（Ｅ）
電気接点１５３は、ボディマウントリング１５１により保持されてもよい。例えば、電気接点１５３を、ボディマウントリング１５１の内周と外周の間に設けても良い。
【００６６】
（Ｆ）
カメラ本体１００およびデジタルカメラ１としては、静止画および動画を撮影可能な装置の他に、静止画のみ撮影可能な装置および動画のみ撮影可能な装置が考えられる。
また、各特徴について記載された効果を得るために、記載された特徴以外の構成は変形または削除されてもよい。
【産業上の利用可能性】
【００６７】
本発明は、レンズユニットを装着可能なカメラ本体およびそれを備えた撮像装置に適用できる。
【符号の説明】
【００６８】
１  デジタルカメラ（撮像装置の一例）
１００、３００  カメラ本体
１１０  ＣＭＯＳイメージセンサー（撮像素子の一例）
１１１  ＡＤコンバーター
１１２  タイミング発生器
１１３  ＣＭＯＳ回路基板
１１４  光学的ローパスフィルタ
１１５  振動板
１１５ｂ  保護シート
１１７  印
１２０  カメラモニタ（表示部の一例）
１２１  ヒンジ
１３０  操作部
１３１  レリーズ釦
１３２  電源スイッチ（電源操作部の一例）
１４０  カメラコントローラー
１４１  ＤＲＡＭ
１４２  メイン回路基板
１４５  シャッター制御部
１４６  レンズ検知部
１５０  ボディマウント
１５１  ボディマウントリング
１５１ａ  第１開口
１５２  ボディマウント接点保持部
１５２ａ  第２開口
１５３  電気接点
１６０  電源
１７０  カードスロット
１７１  メモリーカード（記録部の一例）
１８０  電子ビューファインダー
１８１  ＥＶＦ用液晶モニタ
１８２  ＥＶＦ用光学系
１８３  接眼窓
１９０、３９０  シャッターユニット
１９８  シャッター機構
１９９  シャッターモーター（シャッター駆動部の一例）
１９０Ａ  後幕
１９０Ｂ  先幕
１９０Ｃ  シャッター保持枠
２００  レンズユニット
２５０  レンズマウント
２５３  電気接点
【図１】
2010029689.tif 000003
【図２】
2010029689.tif 000004
【図３】
2010029689.tif 000005
【図４】
2010029689.tif 000006
【図５】
2010029689.tif 000007
【図６Ａ】
2010029689.tif 000008
【図６Ｂ】
2010029689.tif 000009
【図６Ｃ】
2010029689.tif 000010
【図６Ｄ】
2010029689.tif 000011
【図７】
2010029689.tif 000012
【図８Ａ】
2010029689.tif 000013
【図８Ｂ】
2010029689.tif 000014
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
被写体の光学像を形成するレンズユニットを装着可能なカメラ本体であって、
前記レンズユニットを装着可能なボディマウントと、
前記被写体の光学像を電気信号に変換する撮像素子と、
前記ボディマウントと前記撮像素子との間に配置され前記レンズユニットと前記撮像素子との間の光路を遮断可能に設けられたシャッターユニットと、を備え、
前記シャッターユニットは、電力の供給が停止している状態で開口状態を保持する、
カメラ本体。
【請求項２】
電力の供給が停止している状態で前記シャッターユニットが開口状態を保持するように、電力の供給が停止する前に、前記シャッターユニットを制御するシャッター制御部をさらに備えた、
請求項１に記載のカメラ本体。
【請求項３】
前記シャッターユニットは、機械的に前記開口状態を保持可能である、
請求項２に記載のカメラ本体。
【請求項４】
前記シャッターユニットは、前記開口状態および閉口状態をとり得るシャッター機構と、前記シャッター機構を駆動するシャッター駆動部と、を有しており、
前記シャッター駆動部は、機械的に前記開口状態が保持される第１状態と、前記閉口状態が保持される第２状態と、に前記シャッター機構を駆動可能となっている、
請求項３に記載のカメラ本体。
【請求項５】
前記シャッター制御部は、所定の条件で前記シャッター機構を駆動するように前記シャッター駆動部を制御する、
請求項４に記載のカメラ本体。
【請求項６】
前記レンズユニットが装着されているか否かを検知するレンズ検知部をさらに備え、
前記シャッター制御部は、前記レンズユニットが前記ボディマウントから取り外されている場合に前記シャッター機構を前記第１状態に駆動するように前記シャッター駆動部を制御する、
請求項５に記載のカメラ本体。
【請求項７】
前記電気信号を記録する記録部と、
前記電気信号を画像として表示する表示部と、をさらに備え、
前記シャッター制御部は、前記記録部に記録された前記電気信号が前記画像として前記表示部に表示される再生モードで前記シャッター機構を前記第１状態に駆動するように前記シャッター駆動部を制御する、
請求項５または６に記載のカメラ本体。
【請求項８】
電源の切り替えを操作するための電源操作部をさらに備え、
前記シャッター制御部は、前記電源操作部がＯＦＦに操作された場合に前記シャッター機構を前記第１状態に駆動するように前記シャッター駆動部を制御する、
請求項５から７のいずれかに記載のカメラ本体。
【請求項９】
前記レンズユニットが装着されているか否かを検知するレンズ検知部をさらに備え、
前記シャッター制御部は、前記レンズユニットが前記ボディマウントから取り外されている場合に前記シャッターユニットが開口状態を保持するように前記シャッターユニットを制御する、
請求項２から４のいずれかに記載のカメラ本体。
【請求項１０】
前記電気信号を記録する記録部と、
前記電気信号を画像として表示する表示部と、をさらに備え、
前記シャッター制御部は、前記記録部に記録された前記電気信号が前記画像として前記表示部に表示される再生モードで前記シャッターユニットが開口状態を保持するように前記シャッターユニットを制御する、
請求項２から４のいずれかに記載のカメラ本体。
【請求項１１】
電源の切り替えを操作するための電源操作部をさらに備え、
前記シャッター制御部は、前記電源操作部がＯＦＦに操作された場合に前記シャッターユニットが開口状態を保持するように前記シャッターユニットを制御する
請求項２から４のいずれかに記載のカメラ本体。
【請求項１２】
前記ボディマウントは、第１開口を有し、前記レンズユニットを嵌め込み可能な環状のボディマウントリングと、前記ボディマウントリングと前記シャッターユニットとの間に配置され、前記第１開口よりも内径の小さい第２開口を有する保護部材と、を有している、
請求項１から１１のいずれかに記載のカメラ本体。
【請求項１３】
前記レンズユニットから前記撮像素子までの光路上に配置され前記レンズユニットを通過する光が透過する保護シートをさらに備えた、
請求項１から１２のいずれかに記載のカメラ本体。
【請求項１４】
前記保護シートは、前記レンズユニットが取り外されている状態で外部に露出する露出領域を有しており、
前記露出領域の表面には、防曇層が設けられている、
請求項１３に記載のカメラ本体。
【請求項１５】
前記防曇層は、光触媒である、
請求項１４に記載のカメラ本体。
【請求項１６】
前記光触媒は、可視光を透過する、
請求項１５に記載のカメラ本体。
【請求項１７】
前記レンズユニットから前記撮像素子までの光路上に配置され前記レンズユニットを通過する光が透過する保護シートをさらに備え、
前記ボディマウントは、第１開口を有し前記レンズユニットを嵌め込み可能な環状のボディマウントリングと、前記ボディマウントリングと前記シャッターユニットとの間に配置され前記第１開口よりも内径の小さい第２開口を有する保護部材と、を有しており、
前記保護シートは、前記保護部材よりも前記撮像素子側に配置されており、前記レンズユニットが取り外されている状態で前記第２開口から外部に露出する露出領域を有している、
請求項１から１１のいずれかに記載のカメラ本体。
【請求項１８】
前記露出領域は、前記レンズユニットを通過する光が透過する透過領域と、前記透過領域の周辺部に形成され前記レンズユニットを通過する光が透過しない外側領域と、を有している、
請求項１４から１７のいずれかに記載のカメラ本体。
【請求項１９】
前記外側領域の外形寸法は、前記透過領域の外形寸法よりも１ｍｍ以上大きい、
請求項１８に記載のカメラ本体。
【請求項２０】
被写体の光学像を形成するレンズユニットと、
前記レンズユニットを装着可能な請求項１から１９のいずれかに記載のカメラ本体と、
を備えた撮像装置。
【手続補正２】
【補正対象書類名】明細書
【補正対象項目名】全文
【補正方法】変更
【補正の内容】
【発明の詳細な説明】
【技術分野】
【０００１】
技術分野は、レンズユニットを装着可能なカメラ本体およびそれを備えた撮像装置に関する。
【背景技術】
【０００２】
撮像装置として、例えば交換レンズ式のデジタルカメラが知られている（例えば、特許文献１を参照）。特許文献１に記載のカメラは、レンズユニットと、カメラ本体と、を備えている。このカメラ本体は、ＣＣＤ（Charge Coupled Device）イメージセンサーなどの撮像素子と、レンズユニットと撮像素子との間に配置されたミラーボックス装置と、を有している。ミラーボックス装置はレンズユニットを通った光をＣＣＤイメージセンサーまたはプリズムのいずれかに導く。プリズムに導かれた光はプリズムによってファインダに導かれる。
【先行技術文献】
【特許文献】
【０００３】
【特許文献１】特開２００７−１２７８３６号公報
【発明の概要】
【０００４】
しかし、従来の交換レンズ式のデジタルカメラでは、ミラーボックス装置を備えているため、カメラ本体の小型化が困難である。
そこで、本願の発明者らは、ミラーボックス装置を有しない新しい交換レンズ式のデジタルカメラを開発している。ミラーボックス装置を省略することでカメラ本体の小型化が可能となる。
しかし、ミラーボックス装置をカメラ本体に搭載しない場合に、新たな問題が生じることを発明者らは見出した。具体的には、レンズユニットを装着する際にボディマウント内にレンズユニットが傾いた状態で進入するおそれがあるが、カメラ本体にミラーボックス装置が搭載されていない場合、ボディマウントの近くに配置されたシャッターユニット等の部品が破損するおそれがある。
【０００５】
ここに開示された技術は、信頼性の高い小型のカメラ本体および撮像装置を提供することができる。
ここに開示されたカメラ本体は被写体の光学像を形成するレンズユニットを装着可能である。このカメラ本体は、ボディマウントと、撮像素子と、シャッターユニットと、シャッター制御部と、を備えている。ボディマウントはレンズユニットを装着可能である。撮像素子は被写体の光学像を電気信号に変換する。シャッターユニットは、ボディマウントと撮像素子との間に配置されており、レンズユニットと撮像素子との間の光路を遮断可能に設けられている。シャッターユニットは電力の供給が停止している状態で開口状態を保持する。
このカメラ本体では、電力の供給が停止している状態でシャッターユニットが開口状態を保持するので、電力の供給が停止された状態でシャッターユニット１９０の開口状態が保持され、シャッターユニット１９０の破損を防止することができる。これにより、ミラーボックス装置が搭載されていない場合でも、シャッターユニットの破損を防止することができ、信頼性を保ちつつ小型化が可能となる。また、このカメラ本体とレンズユニットとを備えた撮像装置も、同様の効果が得られる。
【０００６】
ここで、カメラ本体および撮像装置としては、静止画のみ撮影可能な装置、動画のみ撮影可能な装置、および静止画および動画を撮影可能な装置が考えられる。
【図面の簡単な説明】
【０００７】
【図１】デジタルカメラ１の斜視図
【図２】カメラ本体１００の斜視図
【図３】デジタルカメラ１のブロック図
【図４】デジタルカメラ１の概略断面図
【図５】カメラ本体１００の背面図
【図６Ａ】シャッターユニット１９０の閉口状態の模式図
【図６Ｂ】シャッターユニット１９０の開口状態の模式図
【図６Ｃ】シャッターユニット１９０の走行準備状態の模式図
【図６Ｄ】シャッターユニット１９０の走行中の模式図
【図７】レンズユニット２００の挿入状態を説明するための図
【図８Ａ】ボディマウント１５０およびその周辺の平面図
【図８Ｂ】カメラ本体３００の概略構成図
【発明を実施するための形態】
【０００８】
＜第１実施形態＞
（１：構成）
（１−１：デジタルカメラの概要）
図１〜図３に示すように、第１実施形態に係るデジタルカメラ１は、カメラ本体１００と、カメラ本体１００に装着可能なレンズユニット２００と、を備えている。
一眼レフレックスカメラとは異なり、カメラ本体１００は、ミラーボックス装置を有していないので、一眼レフレックスカメラに比してフランジバックが短い。また、フランジバックを短くすることで、カメラ本体１００を小型化することができる。さらに、フランジバックを短くすることで、光学系の設計の自由度が高まるので、レンズユニット２００を小型化することができる。
【０００９】
なお、説明の便宜のため、デジタルカメラ１の被写体側を前、撮像面側を後ろまたは背、デジタルカメラ１の通常姿勢（以下、横撮り姿勢ともいう）における鉛直上側を上、鉛直下側を下ともいう。
（１−２：カメラ本体の構成）
図４および図５に示すように、カメラ本体１００は、主に、ＣＭＯＳ（Complementary Metal Oxide Semiconductor）イメージセンサー１１０と、ＣＭＯＳ回路基板１１３と、カメラモニタ１２０と、操作部１３０と、カメラコントローラー１４０を含むメイン回路基板１４２と、ボディマウント１５０と、電源１６０と、カードスロット１７０と、電子ビューファインダー１８０と、シャッターユニット１９０と、光学的ローパスフィルタ１１４と、振動板１１５と、外装部材１０１と、を備えている。
【００１０】
カメラ本体１００には、前から順に、ボディマウント１５０、シャッターユニット１９０、振動板１１５、光学的ローパスフィルタ１１４、ＣＭＯＳイメージセンサー１１０、ＣＭＯＳ回路基板１１３、メイン回路基板１４２およびカメラモニタ１２０が配置されている。
ＣＭＯＳイメージセンサー１１０は、レンズユニット２００により形成される被写体の光学像（以下、被写体像ともいう）を電気信号に変換することで被写体の画像データを生成する。生成された画像データは、ＣＭＯＳ回路基板１１３のＡＤコンバーター１１１（後述）でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１１】
ＣＭＯＳイメージセンサー１１０は、タイミング発生器１１２で生成されるタイミング信号に基づいて動作する。ＣＭＯＳイメージセンサー１１０は、ＣＭＯＳ回路基板１１３の制御により、静止画データおよび動画データの取得を行うことができる。取得された動画データはスルー画像の表示にも用いられる。
ここで、スルー画像とは、動画データのうちメモリーカード１７１に記録されない画像である。スルー画像は、主に動画であり、動画または静止画の構図を決めるためにカメラモニタ１２０および電子ビューファインダー１８０（以下、ＥＶＦとも言う）に表示される。
なお、ＣＭＯＳイメージセンサー１１０は被写体の光学像を撮像して電気的な画像信号に変換する撮像素子の一例である。撮像素子は、ＣＭＯＳイメージセンサー１１０やＣＣＤイメージセンサー等の光電変換素子を含む概念である。
【００１２】
ＣＭＯＳ回路基板１１３は、ＣＭＯＳイメージセンサー１１０を駆動制御する回路基板である。また、ＣＭＯＳ回路基板１１３は、ＣＭＯＳイメージセンサー１１０から出力される画像データに所定の処理を施す回路基板であり、図３に示すように、タイミング発生器１１２およびＡＤコンバーター１１１を含む。ＣＭＯＳ回路基板１１３は、撮像素子を駆動制御し、撮像素子から出力される画像データにＡＤ変換等の所定の処理を施す撮像素子回路基板の一例である。
カメラモニタ１２０は、例えば液晶ディスプレイであり、表示用画像データを画像として表示する。表示用画像データは、画像処理された画像データや、デジタルカメラ１の撮影条件、操作メニュー等を画像として表示するためのデータ等であり、カメラコントローラー１４０で生成される。カメラモニタ１２０は、動画も静止画も選択的に表示可能である。
【００１３】
図５に示すように、カメラモニタ１２０はカメラ本体１００の背面に配置されている。カメラモニタ１２０はカメラ本体１００のどこに配置されていてもよい。カメラモニタ１２０は、外装部材１０１に対する表示画面の角度が変更可能である。具体的には図１、図２および図５に示すように、カメラ本体１００は、外装部材１０１とカメラモニタ１２０とを回転可能に連結するヒンジ１２１を有している。ヒンジ１２１は、横撮り姿勢の状態で背面側から見てカメラ本体１００の左端に配置されている。ヒンジ１２１は、横撮り姿勢の状態で鉛直方向に平行に配置される第１回転軸と、横撮り姿勢の状態で水平面に平行に配置される第２回転軸と、を有している。第１および第２回転軸周りにカメラモニタ１２０を回転させることで、カメラモニタ１２０の外装部材１０１に対する姿勢を自在に変えることができる。
【００１４】
なお、カメラモニタ１２０はカメラ本体１００に設けられた表示部の一例である。表示部としては、他にも、有機ＥＬ、無機ＥＬ、プラズマディスプレイパネル等、画像を表示できるものを用いることができる。また、表示部は、カメラ本体１００の背面でなく、側面や上面等、他の場所に設けてもよい。
電子ビューファインダー１８０は、カメラコントローラー１４０で生成された表示用画像データを画像として表示する。ＥＶＦ１８０は、動画も静止画も選択的に表示可能である。また、ＥＶＦ１８０とカメラモニタ１２０とは、同じ内容を表示する場合と、異なる内容を表示する場合とがあり、ともにカメラコントローラー１４０によって制御される。ＥＶＦ１８０は、画像等を表示するＥＶＦ用液晶モニタ１８１と、ＥＶＦ用液晶モニタ１８１の表示を拡大するＥＶＦ用光学系１８２と、ユーザーが目を近づける接眼窓１８３と、を有している。
【００１５】
なお、ＥＶＦ１８０もまた、表示部の一例である。カメラモニタ１２０と異なる点は、ユーザーが目を近づけて見ることにある。構造上の相違点は、ＥＶＦ１８０が接眼窓１８３を有するのに対してカメラモニタ１２０は接眼窓１８３を有しない点である。
また、ＥＶＦ用液晶モニタ１８１は、透過型液晶の場合はバックライト（不図示）を、反射型液晶の場合はフロントライト（不図示）を設けることで表示輝度を確保する。ＥＶＦ用液晶モニタ１８１は、ＥＶＦ用モニタの一例である。ＥＶＦ用モニタは、有機ＥＬ、無機ＥＬ、プラズマディスプレイパネル等、画像を表示できるものを用いることができる。有機ＥＬのような自発光デバイスの場合は、照明光源は必要ない。
操作部１３０は、ユーザーによる操作を受け付ける。具体的には図１および図２に示すように、操作部１３０は、ユーザーによるシャッター操作を受け付けるレリーズ釦１３１と、カメラ本体１００の上面に設けられた回転式のダイアルスイッチである電源スイッチ１３２と、を有している。レリーズ釦１３１はユーザーによるシャッター操作を受け付ける。電源スイッチ１３２は、第１の回転位置で電源がＯＦＦとなり、第２の回転位置で電源がＯＮとなる。操作部１３０は、ユーザーによる操作を受け付けることができればよく、ボタン、レバー、ダイアル、タッチパネル等を含む。電源スイッチ１３２は電源の切り替えを操作するための電源操作部の一例である。
【００１６】
カメラコントローラー１４０は、メイン回路基板１４２上に配置されており、ＣＭＯＳイメージセンサー１１０等の各部を含むカメラ本体１００全体を制御する。カメラコントローラー１４０は、操作部１３０と電気的に接続されており、操作部１３０から操作信号が入力される。カメラコントローラー１４０は、制御動作や画像処理動作の際に、ＤＲＡＭ１４１をワークメモリとして使用する。
また、カメラコントローラー１４０は、レンズユニット２００を制御するための信号を、ボディマウント１５０およびレンズマウント２５０を介してレンズコントローラー２４０に送信し、レンズユニット２００の各部を間接的に制御する。また、カメラコントローラー１４０は、ボディマウント１５０およびレンズマウント２５０を介して、レンズコントローラー２４０から各種信号を受信する。すなわち、カメラコントローラー１４０は、デジタルカメラ１全体を制御する。カメラコントローラー１４０はボディ制御部の一例である。
【００１７】
カメラコントローラー１４０は、ＣＰＵ（Central Processing Unit）、ＲＯＭ（Read Only Memory）およびＲＡＭ（Random Access Memory）を有しており、ＲＯＭに格納されたプログラムがＣＰＵに読み込まれることで様々な機能を実現し得る。
例えば、図３に示すように、カメラコントローラー１４０は、電力の供給が停止している状態でシャッターユニット１９０が開口状態を保持するように、シャッターユニット１９０を制御するシャッター制御部１４５を有している。シャッター制御部１４５がこのようにシャッターユニット１９０を制御することで、電源１６０からの電力の供給が停止した状態でシャッターユニット１９０の開口状態を保持することができる。
また、シャッター制御部１４５は、例えば、レンズユニット２００がボディマウント１５０から取り外されている状態でシャッターユニット１９０が開口状態を保持するようにシャッターユニット１９０を制御する。さらに、シャッター制御部１４５は、再生モードでシャッターユニット１９０が開口状態を保持するようにシャッターユニット１９０を制御する。
【００１８】
さらに、図３に示すように、カメラコントローラー１４０は、レンズユニット２００がカメラ本体１００（より詳細には、ボディマウント１５０）に装着されているか否かを検知するレンズ検知部１４６を有している。具体的には、レンズユニット２００がカメラ本体１００に装着されると、カメラコントローラー１４０とレンズコントローラー２４０との間で信号の送受信が行われる。レンズ検知部１４６は、信号の送受信に基づいてレンズユニット２００が装着されているか否かを判定する。前述のシャッター制御部１４５は、レンズ検知部１４６の検知結果に基づいてシャッターユニット１９０を制御する。具体的には、シャッター制御部１４５は、レンズユニット２００がボディマウント１５０から取り外されている場合にシャッターユニット１９０が開口状態を保持するようにシャッターユニット１９０を制御する。
【００１９】
なお、シャッター制御部１４５はカム部材１９０Ｕの回転位置をシャッターモーター１９９の駆動信号をカウントすることで把握し得る。これにより、シャッター制御部１４５はシャッターユニット１９０の状態（図６Ａ、図６Ｂ、図６Ｃのいずれかの状態）を認識することができる。
カードスロット１７０は、メモリーカード１７１を装着可能である。カードスロット１７０は、カメラコントローラー１４０からの制御に基づいて、メモリーカード１７１を制御する。具体的には、カードスロット１７０は、メモリーカード１７１に画像データを格納し、メモリーカード１７１から画像データを出力する。例えば、カードスロット１７０は、メモリーカード１７１に動画データを格納し、メモリーカード１７１から動画データを出力する。
【００２０】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、カードスロット１７０を介して、予め内部に格納された画像データまたは画像ファイルをメモリーカード１７１から出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルを伸張などして表示用画像データを生成する。
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、カードスロット１７０を介して、予め内部に格納された動画データまたは動画ファイルをメモリーカード１７１から出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。
【００２１】
なお、メモリーカード１７１は撮像素子により生成された電気信号を記録する記録部の一例である。記録部は、メモリーカード１７１のようにカメラ本体１００に装着可能なメモリでもよく、デジタルカメラ１に搭載されているメモリでもよい。
電源１６０は、デジタルカメラ１の各部に電力を供給する。電源１６０は、例えば、乾電池であってもよいし、充電池であってもよい。また、電源１６０は、電源コード等を介してデジタルカメラ１に電力を供給する外部電源であってもよい。
ボディマウント１５０は、レンズユニット２００を装着可能であり、レンズユニット２００が装着された状態でレンズユニット２００を保持する。ボディマウント１５０は、レンズユニット２００のレンズマウント２５０と機械的および電気的に接続可能である。ボディマウント１５０とレンズマウント２５０とを介して、カメラ本体１００とレンズユニット２００との間で、データおよび／または制御信号を送受信可能である。具体的には、ボディマウント１５０とレンズマウント２５０とは、カメラコントローラー１４０とレンズコントローラー２４０との間で、データおよび／または制御信号を送受信する。ボディマウント１５０は、電源１６０から受けた電力を、レンズマウント２５０を介してレンズユニット２００全体に供給する。
【００２２】
具体的には、ボディマウント１５０は、ボディマウントリング１５１と、ボディマウント接点保持部１５２と、を含む。ボディマウントリング１５１は、レンズユニット２００を嵌め込み可能な環状の部材であり、第１開口１５１ａを有している。レンズユニット２００のレンズマウントリング２５１との光軸ＡＸまわりの回転位置関係により、レンズマウントリング２５１がボディマウントリング１５１に嵌合している状態または嵌合していない状態となる。すなわち、ボディマウントリング１５１とレンズマウントリング２５１との回転位置関係が第１の状態である場合には、レンズマウントリング２５１はボディマウントリング１５１に嵌合しておらす、レンズマウントリング２５１はボディマウントリング１５１に対して光軸ＡＸに平行な方向（以下、光軸方向ともいう）に移動可能（つまり、取り外し可能）である。
【００２３】
また、第１の状態でレンズマウントリング２５１をボディマウントリング１５１に挿入し、レンズマウントリング２５１をボディマウントリング１５１に対して回転させると、レンズマウントリング２５１はボディマウントリング１５１に嵌合する。このときのボディマウントリング１５１とレンズマウントリング２５１との回転位置関係を第２の状態とすると、回転位置関係が第２の状態の場合、ボディマウントリング１５１はレンズユニット２００を機械的に保持する。ボディマウントリング１５１がレンズユニット２００を機械的に保持するため、ボディマウントリング１５１はある程度の強度が要求される。したがって、ボディマウントリング１５１は、金属で形成されているのが好ましい。
ボディマウント接点保持部１５２は、ボディマウントリング１５１とシャッターユニット１９０との間に配置されており、複数の電気接点１５３を有する。レンズユニット２００がボディマウント１５０に装着されている状態で、複数の電気接点１５３は、レンズマウント２５０が有する複数の電気接点２５３とそれぞれ接触している。ボディマウント１５０の電気接点１５３とレンズマウント２５０の電気接点２５３とが接触している状態で、ボディマウント１５０とレンズマウント２５０とは電気的に接続可能となっている。また、ボディマウント１５０の電気接点１５３とレンズマウント２５０の電気接点２５３とを介してカメラ本体１００とレンズユニット２００との間で電力の供給、データおよび制御信号の送受信が行われる。
【００２４】
図２に示すように、ボディマウント接点保持部１５２は、第２開口１５２ａを有する。第２開口１５２ａの内径は、ボディマウントリング１５１の第１開口１５１ａの内径よりも小さい。ボディマウント接点保持部１５２はレンズユニット２００のカメラ本体１００への進入を防止する保護部材の一例である。
シャッターユニット１９０は、いわゆるフォーカルプレーンシャッターであり、ボディマウント１５０とＣＭＯＳイメージセンサー１１０との間に配置される。シャッターユニット１９０は、レンズユニット２００とＣＭＯＳイメージセンサー１１０との間の光路を遮断可能に設けられており、開口状態および閉口状態をとり得るシャッター機構１９８と、シャッター機構１９８を駆動するシャッターモーター１９９（シャッター駆動部の一例）と、を有している。シャッター機構１９８は、主に、後幕１９０Ａと、先幕１９０Ｂと、開口部１９０Ｄを有するシャッター保持枠１９０Ｃと、を有する。シャッターモーター１９９は、例えばステッピングモータであり、カメラコントローラー１４０のシャッター制御部１４５により制御される。
【００２５】
シャッターユニット１９０は、電力が供給されていない状態で機械的に開口状態を保持可能であり、カメラ本体１００の電源の供給が停止した状態で機械的に開口状態が保持されるようにカメラコントローラー１４０により制御される。ここで、開口状態を機械的に保持するとは、電気の力を使わずに開口状態を保持するという概念である。開口状態を機械的に保持する具体的構成としては、例えば、先幕および後幕を開口状態に対応する位置で特定の部材を用いて保持する構成や、先幕および後幕を開口状態に対応する位置で永久磁石の磁力によって保持する構成が挙げられる。
以下、シャッターユニット１９０の実施形態の一例を図６Ａから図６Ｄを用いて説明する。図６Ａは、シャッターユニット１９０の閉口状態（第２状態の一例）の模式図である。図６Ｂは、シャッターユニット１９０の開口状態（第１状態の一例）の模式図である。図６Ｃは、シャッターユニット１９０の走行準備状態の模式図である。図６Ｄは、シャッターユニット１９０の走行中の模式図である。
【００２６】
まず、図６Ａを用いて閉口状態を説明する。後幕１９０Ａは第１バネ１９０Ｅによって、上方向、すなわち開口部１９０Ｄから退避する方向に引っ張られている。また、先幕１９０Ｂは第２バネ１９０Ｆによって、上方向、すなわち開口部１９０Ｄを遮蔽する方向に引っ張られている。後幕走行部材１９０Ｇには、第１吸着片１９０Ｈが取り付けられている。また、後幕走行部材１９０Ｇは、上下方向に移動可能であり、第３バネ１９０Ｉによって下方向に付勢されている。先幕走行部材１９０Ｊには、第２吸着片１９０Ｋが取り付けられている。また、先幕走行部材１９０Ｊは、上下方向に移動可能であり、第４バネ１９０Ｌによって下方向に付勢されている。第３バネ１９０Ｉは第１バネ１９０Ｅよりもバネ係数が大きい。また、第４バネ１９０Ｌは第２バネ１９０Ｆよりもバネ係数が大きい。第１バネ１９０Ｅ、第２バネ１９０Ｆ、第３バネ１９０Ｉおよび第４バネ１９０Ｌは、例えば、シャッター保持枠１９０Ｃに取り付けられている。
【００２７】
第１電磁コイル１９０Ｍと第１吸着片１９０Ｈとが接触し、かつ、第２電磁コイル１９０Ｎと第２吸着片１９０Ｋとが接触した状態で、第１電磁コイル１９０Ｍおよび第２電磁コイル１９０Ｎに通電すると、電磁力により第１電磁コイル１９０Ｍに第１吸着片１９０Ｈが吸着され、第２電磁コイル１９０Ｎに第２吸着片１９０Ｋが吸着される。第１電磁コイル１９０Ｍおよび第２電磁コイル１９０Ｎは、例えば、シャッター保持枠１９０Ｃに取り付けられている。閉口状態（図６Ａ）では、第１電磁コイル１９０Ｍおよび第２電磁コイル１９０Ｎに通電していない。
後幕１９０Ａと先幕１９０Ｂは上下方向に移動可能である。後幕１９０Ａには第１当接部１９０Ｐが設けられており、先幕１９０Ｂには第２当接部１９０Ｑが設けられている。後幕走行部材１９０Ｇの下部と第１当接部１９０Ｐの上部は接触するようになっている。第１当接部１９０Ｐの上下の移動範囲の上端は後幕走行部材１９０Ｇの位置によって決まる。
【００２８】
チャージ部材１９０Ｒは、上下方向に移動可能に設けられており、第５バネ１９０Ｓによって下方向に引っ張られている。チャージ部材１９０Ｒは第１ピン１９０Ｔを有しており、第１ピン１９０Ｔは、カム部材１９０Ｕによって駆動されるチャージレバー１９０Ｖと当接している。カム部材１９０Ｕはシャッターモーター１９９によって回転駆動される。閉口状態（図６Ａ）でのカム部材１９０Ｕの回転位置を閉口位置ＰＡとする。カム部材１９０Ｕが閉口位置ＰＡの状態ではカム部材１９０Ｕがチャージレバー１９０Ｖの第２ピン１９０Ｗに力を与えていないため、この状態ではチャージ部材１９０Ｒおよびチャージレバー１９０Ｖは第５バネ１９０Ｓによって下側に引っ張られている。
チャージ部材１９０Ｒは後幕走行部材１９０Ｇの下部および先幕走行部材１９０Ｊの下部と接触可能である。閉口状態（図６Ａ）では、チャージ部材１９０Ｒが下側にあるため、第３バネ１９０Ｉおよび第４バネ１９０Ｌの弾性力によって、後幕１９０Ａおよび先幕１９０Ｂは下側に引っ張られる。この結果、後幕１９０Ａは第１バネ１９０Ｅの弾性力に対抗して開口部１９０Ｄを遮蔽し、先幕１９０Ｂは第２バネ１９０Ｆの弾性力に対抗して開口部１９０Ｄから下側に退避する。
【００２９】
チャージ部材１９０Ｒの第３ピン１９０Ｘは、回転レバー１９０Ｙの案内スリット１９２に挿入されている。回転レバー１９０Ｙは回転軸１９１がシャッター保持枠１９０Ｃに支持されているため、回転レバー１９０Ｙはシャッター保持枠１９０Ｃに対して回転可能となっている。チャージ部材１９０Ｒが上下に移動すると、第３ピン１９０Ｘが案内スリット１９２に案内され、その結果、チャージ部材１９０Ｒの上下運動に応じて回転レバー１９０Ｙが回転する。
回転レバー１９０Ｙの案内スリット１９２と反対側の自由端部１９０Ｚは、上下方向に第３ピン１９０Ｘ側の端部と反対側に動く。自由端部１９０Ｚが先幕１９０Ｂの第２当接部１９０Ｑの上部と接触可能な軌跡を描くように回転レバー１９０Ｙは構成されている。閉口状態（図６Ａ）では、自由端部１９０Ｚは上に位置しているので、先幕１９０Ｂの第２当接部１９０Ｑは自由端部１９０Ｚと接触していない。
【００３０】
このように、シャッターユニット１９０は、閉口状態（図６Ａ）を機械的に保持できる。
次に、図６Ｂを用いて開口状態を説明する。閉口状態（図６Ａ）から、カム部材１９０Ｕがシャッターモーター１９９によって右回りに回転すると、カム部材１９０Ｕが第２ピン１９０Ｗを押圧し、チャージレバー１９０Ｖが左回りに回転する。このとき、チャージレバー１９０Ｖとチャージ部材１９０Ｒの第１ピン１９０Ｔが接触しているため、チャージ部材１９０Ｒは第５バネ１９０Ｓの弾性力に抗して上方向に移動する。そして、チャージ部材１９０Ｒが後幕走行部材１９０Ｇの下部および先幕走行部材１９０Ｊの下部に接触し、後幕走行部材１９０Ｇおよび先幕走行部材１９０Ｊがチャージ部材１９０Ｒを介してチャージレバー１９０Ｖにより上方向に押し上げられる。すると、第１バネ１９０Ｅおよび第２バネ１９０Ｆの弾性力によって後幕１９０Ａの第１当接部１９０Ｐは後幕走行部材１９０Ｇの下部に接触した状態で上方向へと移動し、先幕１９０Ｂの第２当接部１９０Ｑは先幕走行部材１９０Ｊの下部に接触した状態で上方向へと移動する。
【００３１】
チャージ部材１９０Ｒが上へ移動すると、同時に回転レバー１９０Ｙは右回りに回転し、ある程度チャージ部材１９０Ｒの上への移動が進むと、回転レバー１９０Ｙの自由端部１９０Ｚが先幕１９０Ｂの第２当接部１９０Ｑと接触し、先幕１９０Ｂは回転レバー１９０Ｙにより下方向へ押し戻される。カム部材１９０Ｕが図６Ｂに示す位置（開口位置ＰＢ）まで回転して停止すると、各部材も図６Ｂに示す状態となる。
図６Ｂに示す状態では、チャージ部材１９０Ｒに第５バネ１９０Ｓ、第３バネ１９０Ｉおよび第４バネ１９０Ｌの弾性力が作用しているが、チャージレバー１９０Ｖの第２ピン１９０Ｗがカム部材１９０Ｕの回転中心と同心のカム面に乗り上げるため、チャージレバー１９０Ｖからカム部材１９０Ｕに作用する力でカム部材１９０Ｕは回転しない。このため、シャッターモーター１９９に通電しなくても、カム部材１９０Ｕおよび第２ピン１９０Ｗは図６Ｂに示す状態を保持し、チャージ部材１９０Ｒは上に位置した状態で保持される。
【００３２】
この結果、先幕走行部材１９０Ｊおよび後幕走行部材１９０Ｇはチャージ部材１９０Ｒによって上に位置した状態で保持される。このとき、第１吸着片１９０Ｈは第１電磁コイル１９０Ｍに押し付けられた状態で保持され、第２吸着片１９０Ｋは第２電磁コイル１９０Ｎに押し付けられた状態で保持される。第１電磁コイル１９０Ｍおよび第２電磁コイル１９０Ｎには通電していなくても、これらの状態が保たれる。
また、後幕１９０Ａは、第１バネ１９０Ｅの弾性力によって、上の位置、すなわち、開口部１９０Ｄから退避した位置で保持される。また、回転レバー１９０Ｙの自由端部１９０Ｚが下に位置した状態で保持されるため、先幕１９０Ｂは自由端部１９０Ｚによって下の位置、すなわち、開口部１９０Ｄから退避した位置で保持される。つまり、上記の各部材の状態が機械的に保持されることで、シャッターユニット１９０の開口状態（図６Ｂ）が機械的に保持され、ＣＭＯＳイメージセンサー１１０への光路が開かれる。
【００３３】
このように、カム部材１９０Ｕを図６Ｂに示す開口位置ＰＢまで回転駆動することで、シャッターユニット１９０は電力の供給がなくても開口状態（図６Ｂ）を機械的に保持できる。
次に、図６Ｃを用いて走行準備状態を説明する。ユーザーがカメラ本体１００のレリーズ釦１３１を押し込むと、第１電磁コイル１９０Ｍおよび第２電磁コイル１９０Ｎが通電され、第１電磁コイル１９０Ｍが第１吸着片１９０Ｈを吸着し、第２電磁コイル１９０Ｎが第２吸着片１９０Ｋを吸着する。その後、カム部材１９０Ｕが右方向に回転し図６Ｃに示す位置（走行準備位置ＰＣ）まで駆動されると、チャージレバー１９０Ｖおよびチャージ部材１９０Ｒの機械的な保持が解除され、チャージレバー１９０Ｖが右回りに回転する。チャージレバー１９０Ｖが右回りに回転すると、チャージ部材１９０Ｒは第５バネ１９０Ｓの弾性力によって下側に移動する。このとき、第１電磁コイル１９０Ｍおよび第２電磁コイル１９０Ｎの吸着力によって後幕走行部材１９０Ｇおよび先幕走行部材１９０Ｊは上に位置した状態を保つ。さらに、第１バネ１９０Ｅの力によって後幕１９０Ａの開口状態が保持される。
【００３４】
一方で、チャージレバー１９０Ｖの回転に伴い、回転レバー１９０Ｙは左回りに回転し、自由端部１９０Ｚおよび第２当接部１９０Ｑの接触が解除される。この結果、先幕１９０Ｂは第２バネ１９０Ｆの弾性力によって第２当接部１９０Ｑが先幕走行部材１９０Ｊと接触する位置まで上昇する。すなわち、先幕１９０Ｂは開口部１９０Ｄを遮蔽する。第２当接部１９０Ｑが先幕走行部材１９０Ｊと接触すると、先幕１９０Ｂは閉口位置で停止し、遮蔽状態を保持する。このとき、チャージ部材１９０Ｒは、後幕走行部材１９０Ｇおよび先幕走行部材１９０Ｊの下方向の走行経路から退避している。
次に、図６Ｄを用いて走行中の状態を示す。走行中にはカム部材１９０Ｕ、チャージレバー１９０Ｖ、チャージ部材１９０Ｒおよび回転レバー１９０Ｙの動きに変化はない。走行準備状態（図６Ｃ）から、第２電磁コイル１９０Ｎへの通電を遮蔽すると、第２電磁コイル１９０Ｎと第２吸着片１９０Ｋとの間に作用する吸着力が解除される。すると、先幕１９０Ｂにかかる第２バネ１９０Ｆの上方向の弾性力よりも、先幕走行部材１９０Ｊを介して先幕１９０Ｂに作用する第４バネ１９０Ｌの下方向の弾性力の方が大きいので、先幕１９０Ｂは下方向に走行し、その結果、開口部１９０Ｄが開口する。
【００３５】
先幕１９０Ｂが走行を開始した後（つまり、第２電磁コイル１９０Ｎへの通電を遮蔽した後）、第１電磁コイル１９０Ｍへの通電を遮蔽すると、第１電磁コイル１９０Ｍと第１吸着片１９０Ｈとの吸着力が解除される。すると、後幕１９０Ａに作用する第１バネ１９０Ｅの上方向の弾性力よりも、後幕走行部材１９０Ｇを介して後幕１９０Ａに作用する第３バネ１９０Ｉの下方向の弾性力の方が大きいので、後幕１９０Ａは下方向に走行し、その結果、開口部１９０Ｄが後幕１９０Ａにより遮蔽される。先幕１９０Ｂと後幕１９０Ａとは隙間Ｓを維持したまま走行する。移動が完了すると、閉口状態（図６Ａ）になる。
先幕１９０Ｂおよび後幕１９０Ａの走行中、先幕１９０Ｂおよび後幕１９０Ａの間に形成された隙間Ｓを通った光がＣＭＯＳイメージセンサー１１０に入射する。先幕１９０Ｂおよび後幕１９０Ａの走行により、隙間Ｓが上から下に移動し、ＣＭＯＳイメージセンサー１１０全体が露光される。隙間Ｓの寸法を適宜調整することでＣＭＯＳイメージセンサー１１０の露光時間を制御することが可能となっている。具体的には、先幕１９０Ｂの保持の解除から後幕１９０Ａの保持の解除までの時間を露光したい時間に設定することで、所望の露光時間でＣＭＯＳイメージセンサー１１０を露光できる。
【００３６】
再び静止画撮影モードやＣＭＯＳイメージセンサー１１０による動画の撮影を行う場合は、遮光状態（図６Ａ）からカム部材１９０Ｕを開口位置ＰＢまで回転して開口状態（図６Ｂ）に移行する。
なお、上述の構成は、開口状態を機械的に保持するシャッターユニットの一例である。また、カム部材１９０Ｕ、チャージレバー１９０Ｖ、チャージ部材１９０Ｒ、回転レバー１９０Ｙおよび第１バネ１９０Ｅ等は、シャッターユニット１９０の開口状態を保持するメカロック機構の一例である。
光学的ローパスフィルタ１１４は、被写体光の高周波成分を取り除く。具体的には、光学的ローパスフィルタ１１４は、ＣＭＯＳイメージセンサー１１０の画素のピッチよりも荒い解像度となるようにレンズユニット２００により形成される被写体像を分離する。一般的にＣＭＯＳイメージセンサー等の撮像素子は、各画素にベイヤー配列と呼ばれるＲＧＢ色のカラーフィルターやＹＣＭ色の補色カラーフィルターが配されている。従って、１画素に解像してしまうと偽色が発生するばかりでなく、繰り返しパターンの被写体では醜いモアレ現象が発生する。さらに光学的ローパスフィルタ１１４には、赤外光をカットするためのＩｒカットフィルタ機能も併せ持たせている。
【００３７】
振動板１１５は、レンズユニット２００からＣＭＯＳイメージセンサー１１０までの光路上に配置されており、ＣＭＯＳイメージセンサー１１０よりも前（被写体側）に配置されている。振動板１１５は、ＣＭＯＳイメージセンサー１１０への埃の付着を防ぎ、さらに、自身に付着した埃を振動により振り落とす。具体的には、振動板１１５は、外装部材１０１に支持されたベース枠（図示せず）と、透明の薄い保護シート１１５ｂと、保護シート１１５ｂに振動を付与する圧電素子（図示せず）と、を有している。圧電素子に交流電圧を印加して圧電素子を振動させることで、ベース枠に対して保護シート１１５ｂを振動させる。
図２および図４に示すように、保護シート１１５ｂは、レンズユニット２００が取り外されている状態でシャッターユニット１９０の開口部１９０Ｄから外部に露出する露出領域Ａ１を有している。露出領域Ａ１の前面（被写体側の面）には、防曇層が形成されている。具体的には、露出領域Ａ１には酸化チタン等の透明な光触媒が塗布されている。この光触媒は可視光を透過する。
【００３８】
なお、防曇層は、光学的ローパスフィルタ１１４の前面、または、ＣＭＯＳイメージセンサー１１０の前面にも形成してもよい。レンズユニット２００からＣＭＯＳイメージセンサー１１０までの光路に配置されレンズユニット２００からの光を透過する部材のうち、最も前方に配置される部材の前面に防曇層を設けるのが好ましい。本実施形態では、レンズユニット２００からの光を透過する部材のうち、防曇層が形成された振動板１１５が最も前方に配置されているので、シャッターユニット１９０が開口状態であっても、ボディマウント１５０から進入した唾液等の水分または油分等が、光触媒である酸化チタンにより振動板１１５の表面から容易に除去できる。
具体的には、酸化チタンに光が当ることにより、電子が飛び出し、強力な酸化力が発生する。この強力な酸化力を持った表面が、空気中の水酸化物イオンから電子を奪い、水酸化物イオンは非常に不安定な水酸化ラジカルとなる。水酸化ラジカルもまた強力な酸化力を持つため、近くにある有機物から電子を奪い、有機物は二酸化炭素と水分となり、空気中に放出される。また、振動板１１５を振動させることによりその効果はさらに顕著なものとなる。さらに、光触媒としては、酸化チタンのような紫外線を吸収するものや、赤外線を吸収するものが好ましい。これらは可視光を透過するため、ＣＭＯＳイメージセンサー１１０に到達する可視光の減少を抑えることができる。
【００３９】
（１−３：レンズユニットの構成）
レンズユニット２００は、光学系とレンズコントローラー２４０とレンズマウント２５０と絞りユニット２６０とレンズ筒２９０とを備える。レンズユニット２００の光学系はズームレンズ２１０、ＯＩＳレンズ２２０、および、フォーカスレンズ２３０を含む。光学系は、レンズ筒２９０の内部に収容されている。また、レンズ筒の外部には、ズームリング２１３とフォーカスリング２３４とＯＩＳスイッチ２２４とが設けられている。
ズームレンズ２１０は、レンズユニット２００の光学系で形成される被写体の光学像（以下、被写体像ともいう）の倍率、すなわち、光学系の焦点距離を変化させるためのレンズである。ズームレンズ２１０は、１枚または複数枚のレンズで構成される。ズームレンズ２１０は、光学系の第１レンズ群Ｌ１と第２レンズ群Ｌ２とを含む。ズームレンズ２１０が光軸ＡＸと平行な方向に移動することにより、光学系の焦点距離が変化する。
【００４０】
ズームリング２１３は筒状の部材であり、レンズ筒２９０の外周面で回転可能である。駆動機構２１１は、ユーザーによりズームリング２１３が操作されると、当該操作をズームレンズ２１０に伝え、ズームレンズ２１０を光学系の光軸ＡＸ方向に沿って移動させる。
検出器２１２は、駆動機構２１１における駆動量を検出する。レンズコントローラー２４０および／またはカメラコントローラー１４０は、この検出器２１２における検出結果を取得することにより、光学系における焦点距離を把握することができる。また、レンズコントローラー２４０および／またはカメラコントローラー１４０は、この検出器２１２における検出結果を取得することにより、ズームレンズ（Ｌ１，Ｌ２等）のレンズユニット２００内での光軸ＡＸ方向の位置を把握することができる。なお、駆動機構２１１は、ズームレンズ２１０を光軸ＡＸ方向に沿って移動できればよい。例えば、駆動機構２１１は、ズームリング２１３等の操作部の回転位置に従ってモータ等の駆動力発生部からの駆動力をズームレンズ２１０に伝え、ズームレンズ２１０をズームリング２１３の回転位置に対応する光軸ＡＸ方向の位置に移動するものであってもよい。
【００４１】
ＯＩＳレンズ２２０は、レンズユニット２００の光学系で形成される被写体像のぶれを補正するためのレンズである。ＯＩＳレンズ２２０は、１枚または複数枚のレンズで構成される。アクチュエータ２２１は、ＯＩＳ用ＩＣ２２３からの制御を受けて、光学系の光軸ＡＸに垂直な面内でＯＩＳレンズ２２０を駆動する。
アクチュエータ２２１は、例えば、マグネットと平板コイルとで実現可能である。位置検出センサー２２２は、光学系の光軸ＡＸに垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果およびジャイロセンサーなどのぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００４２】
なお、ＯＩＳレンズ２２０は、ぶれ補正部の一例である。デジタルカメラ１のぶれによって生じる被写体像のぶれを補正する手段として、ＣＣＤからの画像データに基づいて補正した画像データを生成する電子式ぶれ補正を適用してもよい。また、デジタルカメラ１のぶれによって生じるＣＭＯＳイメージセンサー１１０と被写体像との相対的なぶれを小さくする手段として、ＣＭＯＳイメージセンサー１１０を光学系の光軸ＡＸと平行な垂直な面内で駆動する構成としてもよい。
ＯＩＳスイッチ２２４は、ＯＩＳを操作するための操作部の一例である。ＯＩＳスイッチ２２４をＯＦＦにするとＯＩＳレンズ２２０は動作しない。ＯＩＳスイッチ２２４をＯＮにするとＯＩＳレンズ２２０は動作可能となる。
フォーカスレンズ２３０は、光学系がＣＭＯＳイメージセンサー１１０上に形成する被写体像のフォーカス状態を変化させるためのレンズである。フォーカスレンズ２３０は、１枚または複数枚のレンズで構成される。ズームレンズ２１０は、光学系の光軸ＡＸと平行な方向に移動することにより被写体像のフォーカス状態を変化させる。
【００４３】
フォーカスモータ２３３は、レンズコントローラー２４０の制御に基づいて、フォーカスレンズ２３０が光学系の光軸ＡＸに沿って進退するよう駆動する。これにより、光学系によりＣＭＯＳイメージセンサー１１０上に形成される被写体像のフォーカス状態を変化させることができる。フォーカスモータ２３３は、ズームレンズ２１０の駆動から独立してフォーカスレンズ２３０を駆動することができる。具体的には、フォーカスモータ２３３は、第２レンズ群Ｌ２を基準に、フォーカスレンズ２３０を光軸ＡＸ方向に駆動する。言い換えると、フォーカスモータ２３３は、第２レンズ群Ｌ２とフォーカスレンズ２３０との光軸ＡＸ方向の相対距離を変更可能である。フォーカスレンズ２３０とフォーカスモータ２３３とは第２レンズ群Ｌ２とともに光軸ＡＸ方向に移動する。従って、ズーム動作により第２レンズ群Ｌ２が光軸ＡＸ方向に移動すると、フォーカスレンズ２３０およびフォーカスモータ２３３も光軸ＡＸ方向に移動する。また、第２レンズ群Ｌ２が光軸ＡＸ方向に静止している状態でも、フォーカスモータ２３３は第２レンズ群Ｌ２を基準に、フォーカスレンズ２３０を光軸ＡＸ方向に駆動することができる。フォーカスモータ２３３は、ＤＣモータやステッピングモータ、サーボモータ、超音波モータなどによって実現できる。
【００４４】
相対位置検出器２３１および絶対位置検出器２３２は、フォーカスレンズ２３０の駆動状態を示す信号を生成するエンコーダである。相対位置検出器２３１は、磁気スケールと磁気センサーとを有し、磁気の変化を検出し磁気の変化に応じた信号を出力する。磁気センサーは、例えばＭＲセンサーである。絶対位置検出器２３２は、第２レンズ群Ｌ２に対するフォーカスレンズ２３０の原点位置を検出する原点検出器である。絶対位置検出器２３２は、例えばフォトセンサである。レンズコントローラー２４０は、絶対位置検出器２３２からの信号によりフォーカスレンズ２３０が原点にあることを認識する。このとき、レンズコントローラー２４０は、内部に設けたカウンタ２４３の値をリセットする。このカウンタ２４３は、相対位置検出器２３１から出力される信号により磁気変化の極値をカウントする。これにより、レンズコントローラー２４０は、絶対位置である原点位置からの相対位置を検出することにより、第２レンズ群Ｌ２に対するフォーカスレンズ２３０の光軸ＡＸ方向の位置を把握可能である。また、上述のとおり、レンズコントローラー２４０は、第２レンズ群Ｌ２のレンズユニット２００内での光軸ＡＸ方向の位置を把握可能である。従って、レンズコントローラー２４０は、フォーカスレンズ２３０のレンズユニット２００内での光軸ＡＸ方向の位置を把握可能である。
【００４５】
絞りユニット２６０は、光学系を透過する光の量を調整する光量調整部材である。絞りユニット２６０は、光学系を透過する光の光線の一部を遮蔽可能な絞り羽根と、絞り羽根を駆動しその遮蔽量を変更して光量を調整する絞り駆動部とを有する。カメラコントローラー１４０は、ＣＭＯＳイメージセンサー１１０が受けた光の量、静止画撮影を行うのか動画撮影を行うのか、絞り値が優先的に設定される操作がされているか等に基づいて、絞りユニット２６０に動作を指示する。
レンズコントローラー２４０は、カメラコントローラー１４０からの制御信号に基づいて、ＯＩＳ用ＩＣ２２３やフォーカスモータ２３３などのレンズユニット２００の各部を制御する。また、検出器２１２、ＯＩＳ用ＩＣ２２３、相対位置検出器２３１、絶対位置検出器２３２などから信号を受信して、カメラコントローラー１４０に送信する。レンズコントローラー２４０は、カメラコントローラー１４０との送受信を、レンズマウント２５０およびボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータを保存する。
【００４６】
（１−４：構成上の特徴）
カメラ本体１００は、ミラーボックス装置を有していない。そして、フランジバックを短くすることが可能となり、カメラ本体１００を小型化することが可能である。さらに、フランジバックが短いため、光学系の設計の自由度が増し、レンズユニット２００の小型化が可能である。したがって、デジタルカメラ１の小型化が可能である。
しかし、ミラーボックス装置が省略されている場合、ボディマウント１５０付近にシャッターユニット１９０などの部品が配置されるので、ボディマウント１５０内にレンズユニット２００が傾いた状態で進入することにより、これらの部品が破損するおそれがある。
図７は、レンズユニット２００の装着時の状態の一例を示す。破線の仮想円Ｃ１は、レンズユニット２００の外径と同じ大きさの円である。仮想円Ｃ１は、ボディマウントリング１５１の第１開口１５１ａと２点Ｐ１およびＰ２で接触している。この状態で、仮想円Ｃ１は、カメラ本体１００に入り込む可能性がある。仮想円Ｃ１は、レンズユニット２００がボディマウントリング１５１と接触する２点Ｐ１およびＰ２を結ぶ線がボディマウントリング１５１の第１開口１５１ａの中心を通る場合に最もカメラ本体１００に入り込む。また、仮想円Ｃ１の径が小さいほど、仮想円Ｃ１はカメラ本体１００に入り込む。
【００４７】
レンズユニット２００をボディマウントリング１５１に対して傾けた状態でボディマウントリング１５１に接触するようにすると、レンズユニット２００の一部がカメラ本体１００の内部に入り込む。図７に示す状態では、レンズユニット２００は、点Ｐを通り紙面に直交する線がボディマウントリング１５１の第１開口１５１ａと交わる２点で、ボディマウントリング１５１と接触している。そして、この２点での接触状態を維持したままレンズユニット２００を傾けると、レンズユニット２００が点Ｐ２と接触する。この状態で、レンズユニット２００はカメラ本体１００に最も入り込む。このように、レンズユニット２００は、傾いた状態でボディマウントリング１５１に接触するとカメラ本体１００の内部に入り込む。
デジタルカメラ１では、カメラ本体１００の小型化に伴いレンズユニット２００も小型化されているので、レンズユニット２００の外径が小さくなり（つまり、仮想円Ｃ１が小さくなり）、レンズユニット２００がカメラ本体１００に入り込む量が大きくなりやすい。また、カメラ本体１００はフランジバックを小さくできるため、ボディマウント１５０付近に部品を配置しやすくなり、この結果、レンズユニット２００とカメラ本体１００の内部の部材が干渉しやすくなる。特に、シャッターユニット１９０は、後幕１９０Ａまたは先幕１９０Ｂの強度が弱く、破損しやすい。さらに、レンズユニット２００は外部にＯＩＳスイッチ２２４のような突出した操作部を設けることもある。このような部材が図７のようにカメラ本体１００の内部に入り込むことも考えられる。
【００４８】
そこで、シャッターユニット１９０は、電源１６０からの電力の供給が停止した状態で開口状態を保持できるようになっている。具体的には、シャッターユニット１９０は、メカロック機構を有しており、電源１６０からの電力の供給が停止した状態で機械的に開口状態が保持されるようにカメラコントローラー１４０によって制御される。したがって、電力の供給が停止している状態でシャッターユニット１９０は開口状態を保持しており、電源１６０からの電力の供給が停止した状態でレンズユニット２００が交換されるような場合に、誤ってレンズユニット２００がカメラ本体１００の内部に侵入したとしても、シャッターユニット１９０（特に後幕１９０Ａまたは先幕１９０Ｂ）の破損を防止できる。
また、図７のレンズユニット２００の位置は、ボディマウント接点保持部１５２がない場合のカメラ本体１００への進入状態を示しているが、シャッターユニット１９０よりも先にボディマウント接点保持部１５２がレンズユニット２００と干渉するので、レンズユニット２００がシャッターユニット１９０と接触するのを防止できる。
【００４９】
また、ボディマウント接点保持部１５２の第２開口１５２ａの内径がボディマウントリング１５１の第１開口１５１ａの内径よりも小さいので、レンズユニット２００が内部に進入するのをより確実に防止することができ、シャッターユニット１９０の破損をより確実に防止できる。
なお、シャッターユニット１９０の開放を保持することにより、レンズユニット２００からＣＭＯＳイメージセンサー１１０までの光路に配置されるレンズユニット２００からの光を透過する部材のうち、最も前方に配置される部材の前面に唾液等の水分または油分等が付着する可能性があるが、振動板１１５の前面に防曇層を設けることによりこの問題を低減している。
（２：動作）
（２−１：静止画撮影動作）
操作部１３０の操作により、静止画撮影モードが選択されると、カメラコントローラー１４０は、動画撮影を行うようにＣＭＯＳイメージセンサー１１０を制御する。撮影された動画は、カメラモニタ１２０またはＥＶＦ１８０に表示される。このとき、動画はメモリーカード１７１には記録されない。ユーザーは、カメラモニタ１２０またはＥＶＦ１８０によって構図を決定する。ＡＥ制御およびＡＦ制御は、ＣＭＯＳイメージセンサー１１０から出力される画像データに基づいて行われる。このとき、シャッターユニット１９０は、開口状態を機械的に保持する。具体的には、後幕１９０Ａが開口状態（図６Ｂ）に対応する位置で機械的に保持される。
【００５０】
レリーズ釦１３１が操作されると、シャッターユニット１９０を上述のように駆動し、走行準備状態（図６Ｃ）を経て後幕１９０Ａおよび先幕１９０Ｂを走行し（図６Ｄ）、ＣＭＯＳイメージセンサー１１０を露光する。このとき、ＣＭＯＳイメージセンサー１１０により画像データが取得される。カメラコントローラー１４０は画像データに所定の画像処理を施し、画像データまたは動画データをメモリーカード１７１に記録する。その後、カメラコントローラー１４０のシャッター制御部１４５は、シャッター機構１９８の開口状態が機械的に保持されるようにシャッターユニット１９０のシャッターモーター１９９を制御する。具体的には、シャッター制御部１４５で生成される制御信号に基づいてシャッターモーター１９９によりカム部材１９０Ｕが図６Ｂに示す開口位置ＰＢまで回転駆動され、図６Ｂに示す開口状態が機械的に保持される。これにより、静止画撮影モードの途中で電源１６０からの電力の供給が停止されても、電力の供給が停止している状態でシャッターユニット１９０の開口状態を保持することができ、レンズユニット２００がカメラ本体１００から取り外されている状態でシャッターユニット１９０の先幕１９０Ｂおよび後幕１９０Ａが破損するのを防止できる。
【００５１】
（２−２：動画撮影動作）
操作部１３０の操作により、動画撮影モードが選択されると、カメラコントローラー１４０は、動画撮影を行うようにＣＭＯＳイメージセンサー１１０を制御する。撮影された動画は、カメラモニタ１２０またはＥＶＦ１８０に表示される。このとき、動画はメモリーカード１７１には記録されない。ユーザーは、カメラモニタ１２０またはＥＶＦ１８０によって構図を決定する。ＡＥ制御およびＡＦ制御は、ＣＭＯＳイメージセンサー１１０から出力される画像データに基づいて行われる。
操作部１３０が操作され動画記録の開始が指示されると、カメラコントローラー１４０はＣＭＯＳイメージセンサー１１０から出力される動画データに所定の処理を施し、動画データまたは動画ファイルをメモリーカード１７１に記録する。操作部１３０が操作され動画記録の停止が指示されると、カメラコントローラー１４０は動画データまたは動画ファイルの記録を停止する。
【００５２】
動画撮影モードでは、カメラコントローラー１４０のシャッター制御部１４５は、シャッター機構１９８の開口状態が機械的に保持されるようにシャッターユニット１９０のシャッターモーター１９９を制御する。具体的には、シャッター制御部１４５で生成される制御信号に基づいてシャッターモーター１９９によりカム部材１９０Ｕが図６Ｂに示す開口位置ＰＢまで回転駆動され、図６Ｂに示す開口状態が機械的に保持される。これにより、動画撮影モードの途中で電源１６０からの電力の供給が停止されても、電力の供給が停止している状態でシャッターユニット１９０の開口状態を保持することができ、レンズユニット２００がカメラ本体１００から取り外されている状態でシャッターユニット１９０の先幕１９０Ｂおよび後幕１９０Ａが破損するのを防止できる。
（２−３：再生動作）
操作部１３０の操作により、再生モードが選択されると、カメラコントローラー１４０はメモリーカード１７１から取得した画像データ、画像ファイル、動画データまたは動画ファイルを伸張して表示用画像データまたは表示用動画データを生成する。カメラモニタ１２０またはＥＶＦ１８０は表示用画像データまたは表示用動画データを表示する。
【００５３】
再生モードでは、カメラコントローラー１４０のシャッター制御部１４５は、シャッターユニット１９０が開口状態を機械的に保持するようにシャッターユニット１９０を制御する。具体的には、シャッター制御部１４５はカム部材１９０Ｕの回転位置をシャッターモーター１９９の駆動信号をカウントすることで把握し得る。カム部材１９０Ｕが図６Ｂに示す開口位置ＰＢからずれていれば、カム部材１９０Ｕが開口位置ＰＢになるようにシャッター制御部１４５はシャッターモーター１９９を駆動する。なお、すでにカム部材１９０Ｕが開口位置ＰＢであれば、シャッター制御部１４５はシャッターモーター１９９を駆動しない。
このような制御により、再生モードにおいてシャッターユニット１９０に開口状態を機械的に保持させることができる。したがって、再生モードの途中で電源１６０からの電力の供給が停止されても、電力の供給が停止している状態でシャッターユニット１９０の開口状態を保持することができる。
【００５４】
（２−４：その他の動作）
その他の動作モード、例えばカメラの各種設定を行うモードにおいても、基本的に、カメラコントローラー１４０のシャッター制御部１４５は、開口状態を機械的に保持するようにシャッターユニット１９０を制御する。したがって、不意にカメラ本体１００の電源１６０からの電力の供給が停止されても、電源１６０からの電力の供給が停止した状態で、シャッターユニット１９０の開口状態を確実に保持することができる。
（２−５：シャッターユニットの動作のまとめ）
上述のように、シャッターユニット１９０は、電源１６０からの電力の供給が停止した状態で開口状態を保持する。この動作は、シャッターユニット１９０がカメラコントローラー１４０によって、電源１６０からの電力の供給が停止する前に上述のように制御されることによって実現される。
【００５５】
電源１６０からの電力の供給が停止した状態では、レンズユニット２００がカメラ本体１００から外された状態であることを検知できない。すなわち、レンズユニット２００がカメラ本体１００から外されてからシャッターユニット１９０を開口状態にすることができない場合がある。しかし、本実施形態に係るカメラ本体１００は、電源１６０からの電力の供給が停止した状態でシャッターユニット１９０が開口状態であるため、レンズユニット２００をカメラ本体１００に装着する際にレンズユニット２００がボディマウント１５０内に入り込むことによるシャッターユニット１９０の破損を低減することが可能である。
（３：特徴）
以上に説明したデジタルカメラ１の特徴を以下にまとめる。
【００５６】
（１）
このカメラ本体１００では、電力の供給が停止している状態でシャッターユニット１９０が開口状態を保持するように、電力の供給が停止する前にシャッターユニット１９０がシャッター制御部１４５により制御される。これにより、電力の供給が停止された状態でシャッターユニット１９０の開口状態を保持することができ、レンズユニット２００がカメラ本体１００から取り外されている状態でシャッターユニット１９０の破損を防止することができる。
また、シャッターユニット１９０が機械的に開口状態（図６Ｂに示す状態）を保持可能であるため、電力の供給が停止した状態でシャッターユニット１９０の開口状態を保持するのが容易となる。
【００５７】
（２）
シャッターユニット１９０が、シャッター機構１９８と、シャッター機構１９８を駆動するシャッターモーター１９９と、を有している。シャッターモーター１９９は、機械的に開口状態が保持される第１状態（図６Ｂに示す状態）と、閉口状態が保持される第２状態（図６Ａに示す状態）と、にシャッター機構１９８を駆動可能となっている。さらに、シャッター制御部１４５が所定の条件でシャッター機構１９８を図６Ｂに示す状態に駆動する。
例えば、レンズ検知部１４６によりレンズユニット２００がボディマウント１５０に装着されているか否かが検知され、レンズユニット２００がボディマウント１５０から取り外されている場合に、シャッター制御部１４５によりシャッターユニット１９０が開口状態を保持するようにシャッターユニット１９０が制御される。より詳細には、シャッター制御部１４５は、レンズユニット２００がボディマウント１５０から取り外されている場合にシャッター機構１９８を図６Ｂに示す状態に駆動するようにシャッターモーター１９９を制御する。このため、電源がＯＮの状態でレンズユニット２００がカメラ本体１００から取り外されても、シャッターユニット１９０の開口状態を保持でき、シャッターユニット１９０の破損を防止することができる。
【００５８】
また、再生モードにおいて、シャッターユニット１９０が開口状態を保持するようにシャッターユニット１９０がシャッター制御部１４５により制御される。より詳細には、再生モードでシャッター機構１９８を図６Ｂに示す状態に駆動するようにシャッター制御部１４５によりシャッターモーター１９９が制御される。これらの構成により、再生モードで電源がＯＦＦになっても、シャッターユニット１９０の開口状態を保持できる。
さらに、電源スイッチ１３２がＯＦＦに操作された場合にシャッターユニット１９０が開口状態を保持するようにシャッターユニット１９０がシャッター制御部により制御される。より詳細には、電源スイッチ１３２がＯＦＦに操作された場合にシャッター機構１９８を図６Ｂに示す状態に駆動するようにシャッター制御部１４５によりシャッターモーター１９９が制御される。これらの構成により、電源の供給が停止する前にシャッターユニット１９０を開口状態に切り替えることができる。
【００５９】
以上に説明したように、カメラ本体１００であれば、シャッターユニット１９０の破損を確実に防止することができる。
（３）
図２および図３に示すように、ボディマウント１５０リングの第１開口１５１ａの内径よりもボディマウント接点保持部１５２の第２開口１５２ａの内径が小さいため、レンズユニット２００の一部がボディマウントリング１５１の第１開口１５１ａからカメラ本体１００の内部に侵入しても、ボディマウント接点保持部１５２によりレンズユニット２００の侵入を防止することができ、シャッターユニット１９０などの部品の破損を防止できる。
（４）
レンズユニット２００がボディマウント１５０から取り外されている状態でシャッターユニット１９０が開口状態を保持している場合、ＣＭＯＳイメージセンサー１１０やＣＭＯＳイメージセンサー１１０の被写体側に配置された光学的ローパスフィルタ１１４がホコリや唾液などの物質により汚れやすくなる。
【００６０】
このカメラ本体１００では、レンズユニット２００からＣＭＯＳイメージセンサー１１０までの光路上に保護シート１１５ｂが配置されているため、ＣＭＯＳイメージセンサー１１０および光学的ローパスフィルタ１１４が汚れるのを防止できる。
また、保護シート１１５ｂの露出領域Ａ１に光触媒を含む防曇層が設けられているため、保護シート１１５ｂの汚れを抑制あるいは除去しやすくなる。さらに、防曇層は光を透過する光触媒であるため、保護シート１１５ｂの表面に防曇層を設けても被写体光を効率的にＣＭＯＳイメージセンサー１１０に導くことが可能となる。
＜第２実施形態＞
ここでは、第１実施形態のカメラ本体１００と異なる点についてのみ説明し、共通する部分の説明を省略する。なお、第１実施形態と実質的に同一の機能を有する構成については同一の符号を付す。以下、第２実施形態に係るカメラ本体３００について説明する。図８Ａは、ボディマウント１５０およびその周辺の平面図である。図８Ｂは、カメラ本体３００の概略構成図である。
【００６１】
第１実施形態のカメラ本体１００は、振動板１１５およびその前面に防曇層を有しているが、それでもなお埃等の汚れが付着する場合がある。この場合、ユーザーがこの面を布等で拭いて汚れを落とそうとすることが考えられる。
しかし、汚れを完全に取り除くのは困難である。特に、布等を移動させた領域の端に汚れが移動し、汚れがそこに残りやすい。
そこで、このカメラ本体３００では、レンズユニット２００からＣＭＯＳイメージセンサー１１０までの光路上に配置されレンズユニット２００からの光を透過する部材のうち、最も前方に配置される部材に、汚れを残してもよい領域を設けている。
具体的には、図８Ａおよび図８Ｂに示すように、前述の第１実施形態に比べて、ボディマウント接点保持部３５２の第２開口３５２ａは、ボディマウント接点保持部１５２の第２開口１５２ａに比べて大きく、シャッターユニット３９０の開口部３９０Ｄは、シャッターユニット１９０の開口部１９０Ｄに比べて大きい。このため、振動板１１５の保護シート１１５ｂは外部に大きく露出している。
【００６２】
より詳細には、保護シート１１５ｂは、レンズユニット２００が取り外されている状態でシャッターユニット３９０の開口部３９０Ｄから外部に露出する露出領域Ａ１１を有している。前述の露出領域Ａ１と同様に、露出領域Ａ１１の前面（被写体側の面）には、防曇層が形成されている。具体的には、露出領域Ａ１１には酸化チタン等の透明な光触媒が塗布されている。この光触媒は可視光を透過する。露出領域Ａ１１はさらに、透過領域Ａ１２および外側領域Ａ１３を有している。
透過領域Ａ１２は、保護シート１１５ｂのうちレンズユニット２００を通過する光が通る領域１１８に対応しており、レンズユニット２００からＣＭＯＳイメージセンサー１１０までの光路上に配置されている。外側領域Ａ１３は、被写体側から見て透過領域Ａ１２よりも外側の範囲に形成されており、レンズユニット２００の光路外に配置されている。このため、レンズユニット２００を通過する光は外側領域Ａ１３を通過しない。つまり、透過領域Ａ１２とは異なり、外側領域Ａ１３は汚れを残してもよい領域と言える。例えば、外側領域Ａ１３の外形寸法は、透過領域Ａ１２の外形寸法よりも１ｍｍ以上大きい。なお、外側領域Ａ１３は透過領域Ａ１２の全周に設けられているが、透過領域Ａ１２の外側の一部に設けてもよい。
【００６３】
このように、露出領域Ａ１１が透過領域Ａ１２の周辺部に形成された外側領域Ａ１３を有しているため、透過領域Ａ１２に付着しているホコリなどの付着物を光学的に有効でない外側領域Ａ１３まで移動させるだけで、透過領域Ａ１２を清掃することができ、保護シート１１５ｂの清掃が容易となる。
また、外側領域Ａ１３に汚れを移動しやすいように、振動板１１５よりも被写体側に配置される部材、本実施形態ではシャッターユニット３９０の開口部３９０Ｄを、被写体側から見てＣＭＯＳイメージセンサー１１０により画像データに変換される被写体光がシャッターユニット３９０内を通過する領域１１９よりも大きく設定している。具体的には、開口部３９０Ｄは領域１１９よりも外側に１ｍｍ以上大きい。なお、第２実施形態では、開口部３９０Ｄは領域１１９に対して全方向に大きくしているが、一部の方向にのみ大きくしてもよい。
【００６４】
さらに、露出領域Ａ１１の透過領域Ａ１２と外側領域Ａ１３との境界を示す４つの印１１７が振動板１１５の保護シート１１５ｂに設けられている。ユーザーは、ボディマウントリング１５１からカメラ本体３００の内部を見て、振動板１１５の汚れを布等で拭くことができる。汚れは前から見てシャッターユニット１９０の開口領域の近く、すなわち、前から見て透過領域Ａ１２よりも外側の範囲に残る。しかし、この部分の汚れが撮影された画像に及ぼす影響は小さい。また、印１１７を設けることにより、どのあたりまで清掃する必要があるのかをユーザーが認識しやすくなる。したがって、印１１７を参考にユーザーが透過領域Ａ１２よりも周囲の外側領域Ａ１３に汚れを移動することで、少なくとも透過領域Ａ１２の清掃を確実に行うことができる。
なお、ＣＭＯＳイメージセンサー１１０は所定の領域１１６に含まれる各画素の電荷に基づいて画像データを生成する。ＣＭＯＳイメージセンサー１１０により画像データに変換される被写体光とは、レンズユニット２００からＣＭＯＳイメージセンサー１１０に導かれる被写体光のうち、所定の領域１１６に到達する被写体光のことを意味する。
【００６５】
＜その他の実施の形態＞
本発明は、前述の実施形態に限定されるものではなく、本発明の範囲を逸脱することなく種々の変形および修正が可能である。
（Ａ）
前述の第１および第２実施形態では、シャッターユニット１９０は、後幕１９０Ａと先幕１９０Ｂとを有しているが、先幕１９０Ｂを有していないシャッターユニットでもよい。この場合、先幕１９０Ｂと同様の機能をＣＭＯＳイメージセンサー１１０の駆動制御により実現する。具体的には、ＣＭＯＳイメージセンサー１１０は、各画素の電荷を上のラインから順次リセットする。そして、各ラインのリセット動作が下に移動するのを追いかけるように後幕１９０ＡがＣＭＯＳイメージセンサー１１０への光を上のラインから順に遮蔽する。このようにすれば、各画素は、リセットされてから入射光が遮光されるまでの期間に露光された分の電荷を蓄積する。なお、この場合においても、後幕１９０Ａは機械的に開口状態を保持できるようにしている。
【００６６】
（Ｂ）
防曇層は指紋のつきにくい多層膜ＡＲコートなどでもよい。
（Ｃ）
前述の実施形態では、デジタルカメラ１は、カメラモニタ１２０およびＥＶＦ１８０の両方を有しているが、カメラモニタ１２０およびＥＶＦ１８０のうち一方のみを有する構成でもよい。
（Ｄ）
前述の実施形態では、ＯＩＳレンズ２２０を有するデジタルカメラ１を例示したが、手振れ補正機能が搭載されていないデジタルカメラであってもよい。
（Ｅ）
電気接点１５３は、ボディマウントリング１５１により保持されてもよい。例えば、電気接点１５３を、ボディマウントリング１５１の内周と外周の間に設けても良い。
【００６７】
（Ｆ）
カメラ本体１００およびデジタルカメラ１としては、静止画および動画を撮影可能な装置の他に、静止画のみ撮影可能な装置および動画のみ撮影可能な装置が考えられる。
また、各特徴について記載された効果を得るために、記載された特徴以外の構成は変形または削除されてもよい。
【産業上の利用可能性】
【００６８】
本発明は、レンズユニットを装着可能なカメラ本体およびそれを備えた撮像装置に適用できる。
【符号の説明】
【００６９】
１  デジタルカメラ（撮像装置の一例）
１００、３００  カメラ本体
１１０  ＣＭＯＳイメージセンサー（撮像素子の一例）
１１１  ＡＤコンバーター
１１２  タイミング発生器
１１３  ＣＭＯＳ回路基板
１１４  光学的ローパスフィルタ
１１５  振動板
１１５ｂ  保護シート
１１７  印
１２０  カメラモニタ（表示部の一例）
１２１  ヒンジ
１３０  操作部
１３１  レリーズ釦
１３２  電源スイッチ（電源操作部の一例）
１４０  カメラコントローラー
１４１  ＤＲＡＭ
１４２  メイン回路基板
１４５  シャッター制御部
１４６  レンズ検知部
１５０  ボディマウント
１５１  ボディマウントリング
１５１ａ  第１開口
１５２  ボディマウント接点保持部
１５２ａ  第２開口
１５３  電気接点
１６０  電源
１７０  カードスロット
１７１  メモリーカード（記録部の一例）
１８０  電子ビューファインダー
１８１  ＥＶＦ用液晶モニタ
１８２  ＥＶＦ用光学系
１８３  接眼窓
１９０、３９０  シャッターユニット
１９８  シャッター機構
１９９  シャッターモーター（シャッター駆動部の一例）
１９０Ａ  後幕
１９０Ｂ  先幕
１９０Ｃ  シャッター保持枠
２００  レンズユニット
２５０  レンズマウント
２５３  電気接点
【手続補正３】
【補正対象書類名】図面
【補正対象項目名】全図
【補正方法】変更
【補正の内容】
【図１】
2010029689.tif 000015
【図２】
2010029689.tif 000016
【図３】
2010029689.tif 000017
【図４】
2010029689.tif 000018
【図５】
2010029689.tif 000019
【図６Ａ】
2010029689.tif 000020
【図６Ｂ】
2010029689.tif 000021
【図６Ｃ】
2010029689.tif 000022
【図６Ｄ】
2010029689.tif 000023
【図７】
2010029689.tif 000024
【図８Ａ】
2010029689.tif 000025
【図８Ｂ】
2010029689.tif 000026
【国際調査報告】
2010029689.tif 000027
2010029689.tif 000028
2010029689.tif 000029
2010029689.tif 000030